(57)【要約】【課題】特定の条件を満たす画像データ等の情報を確実に取得することができる情報管理装置を提供する。【解決手段】複数の情報取得機器２０Ａが取得した複数の情報を取得する情報取得部１２，１４と、情報取得部が取得した複数の情報が特定の条件を満たしているか否かを判定する判定部１１ｆ，１１ｈと、判定部の判定結果に従って特定の条件を満たす情報をさらに取得するためのガイド情報を作成するガイド情報作成部１１ｆとを具備する。【選択図】図１５
2020009020.tif 000002
【特許請求の範囲】
【請求項１】
複数の情報取得機器が取得した複数の情報を取得する情報取得部と、
上記情報取得部が取得した上記複数の情報が特定の条件を満たしているか否かを判定する判定部と、
上記判定部の判定結果に従って上記特定の条件を満たす情報をさらに取得するためのガイド情報を作成するガイド情報作成部と、
を具備することを特徴とする情報管理装置。
【請求項２】
複数の撮像装置がそれぞれ撮像した画像情報を無線通信で取得する情報取得部と、
上記情報取得部が取得した上記複数の画像情報が、特定の条件を満たしているかによってガイド情報を出すタイミングを判定する判定部と、
を具備することを特徴とする情報管理装置。
【請求項３】
上記ガイド情報を出す特定のタイミングとは、
上記複数の撮像装置での単位時間当たりの撮影数で決まることを特徴とする請求項２に記載の情報管理装置。
【請求項４】
上記ガイド情報を出す特定のタイミングとは、
上記複数の撮像装置によって取得された上記複数の画像の比較によって決まることを特徴とする請求項２に記載の情報管理装置。
【請求項５】
上記画像情報は、上記撮像装置によって取得された上記画像の特定部分の切り出し画像であることを特徴とする請求項２に記載の情報管理装置。
【請求項６】
複数の撮像装置がそれぞれ撮像した画像情報を無線通信で取得する情報取得部と、上記情報取得部が取得した上記複数の画像情報が特定の条件を満たしているかによってガイド情報を出すタイミングを判定する判定部とを備えた情報管理装置と、
複数の画像情報を取得する撮像部と、上記撮像部により取得された上記画像情報を送信する通信部とを備えた複数の撮像装置と、
を具備することを特徴とする情報管理システム。
【請求項７】
撮像装置は、
複数の画像情報を取得し、
取得した上記複数の画像情報を送信し、
情報管理装置は、
上記複数の画像情報を受信し、
受信した上記複数の画像情報が特定の条件を満たしているかによってガイド情報を出すタイミングを判定することを特徴とする情報管理方法。
【発明の詳細な説明】
【技術分野】
【０００１】
この発明は、画像データ等の情報を取得する情報取得機器によって取得された複数の画像データ等の情報を管理する情報管理装置，情報管理システム，情報管理方法に関するものである。
【背景技術】
【０００２】
近年、対象物の光学像を電子的なデジタルデータに変換し画像データ等の情報として取得する撮像機能を備えた撮像装置等の情報取得機器が一般に広く普及している。これらの情報取得機器によって取得された画像データ等の情報は様々な用途に利用されている。
【０００３】
この種の従来の情報取得機器は、例えば産業分野等においては、各種の工業生産物の生産工程における製造作業，組み立て作業又はメンテナンス作業等を行う際に、作業中の画像データ等の情報を取得するのに使用されている。この場合において、情報取得機器によって取得された画像データ等の情報は、例えば、実施された作業が規定の作業マニュアル通りに実行されているかどうかのチェック又は後日の作業証明のためのエビデンス情報として利用される。そのために、当該情報取得機器によって取得された複数の画像データ等の情報は、所定のフォーマットに従って分類整理されて管理されている。
【０００４】
また、一般的には、各種の行事（イベント；例えばグループ旅行や冠婚葬祭等）の際には、参加者のそれぞれが使用する複数の情報取得機器によって、若しくは複数の記録担当者が複数の情報取得機器を用いて、大量の画像データ等の情報が取得されている。これら大量の画像データ等の情報は、用途に応じて分類整理され、後日、アルバム作成等が行われることがある。
【０００５】
このように、様々な状況において情報取得機器を用いて取得された複数の画像データ等の情報は、用途に応じて分類整理されたり利用可能な形態に加工されて管理されている。  例えば、特開２０１０−５７０７３号公報等によって開示されているアルバム作成装置は、アルバム作成用の画像データが複数保存されている画像データ保存部と、この画像データ保存部に保存されている複数の画像データを用いてアルバムを作成するアルバム作成部と、複数の画像データに含まれる顔画像を人物別に抽出する人物抽出部と、抽出された顔画像の数を人物別にカウントする登場回数カウント部とを備えている。
【０００６】
この構成により、当該アルバム作成装置は、特定の個人が写っている画像が極端に多くなったり少なくなったりすることをなくして、不公平感を生じさせないアルバムを作成するというものである。
【先行技術文献】
【特許文献】
【０００７】
【特許文献１】特開２０１０−５７０７３号公報
【発明の概要】
【発明が解決しようとする課題】
【０００８】
ところが、上記特開２０１０−５７０７３号公報等によって開示されているアルバム作成装置は、撮影が行われた後（情報が取得された後）に、撮影結果（保存済みの複数の画像データ）を用いてアルバムを作成するというものである。そのアルバム作成時に、写っている人が不公平感を生じさせないようにすることを目的としている。
【０００９】
つまり、上記公報に開示された装置を用いてアルバムを作成するのは、撮影時点からは時間も場所も隔たった時点にて行われることが普通である。
【００１０】
したがって、当該装置を用いてアルバムを作成するときに、例えば、ある特定人物の撮り忘れや撮影ミス（例えば眼つぶり等）等のほか、特定の人物の写っている画像が極端に少ない等といった問題に気付いたとしても、追加撮影や撮り直し等によって対応することはできないという問題点がある。
【００１１】
また、情報取得機器によって取得した画像データ等の情報をエビデンス情報として利用する場合、作業中の合間に取得される複数の画像データ等の情報は、特定の条件を満たすように、所定のフォーマット等に即した形態で確実に取得されている必要がある。取得された画像データ等の情報に欠損等があると、その画像データ等の情報は、エビデンス情報として利用することができない。画像データ等の情報の取得に失敗したことが、作業終了後に判明したとしても、作業終了後では、撮り直し等を行うことができない。
【００１２】
したがって、上記公報等によって開示されているような装置のように、撮影後に、複数の画像データ等の情報を管理する構成のものでは、撮影漏れや撮影ミス等が後日判明しても、的確かつ確実に対応することはできないという問題点がある。
【００１３】
本発明は、上述した点に鑑みてなされたものであって、その目的とするところは、予め設定された特定の条件を満たす画像データ等の情報を確実に取得することができるように、情報を取得する時点で情報管理を行うことのできる情報管理装置と、上記情報管理装置及び複数の上記情報取得機器とからなる情報管理システムと、上記情報管理システムにて用いられる情報管理方法とを提供することである。
【課題を解決するための手段】
【００１４】
上記目的を達成するために、本発明の一態様の情報管理装置は、複数の情報取得機器が取得した複数の情報を取得する情報取得部と、上記情報取得部が取得した上記複数の情報が特定の条件を満たしているか否かを判定する判定部と、上記判定部の判定結果に従って上記特定の条件を満たす情報をさらに取得するためのガイド情報を作成するガイド情報作成部とを具備する。
【００１５】
本発明の他の一態様の情報管理装置は、複数の撮像装置がそれぞれ撮像した画像情報を無線通信で取得する情報取得部と、上記情報取得部が取得した上記複数の画像情報が特定の条件を満たしているかによってガイド情報を出すタイミングを判定する判定部とを具備する。
【００１６】
本発明の一態様の情報取得システムは、複数の撮像装置がそれぞれ撮像した画像情報を無線通信で取得する情報取得部と、上記情報取得部が取得した上記複数の画像情報が特定の条件を満たしているかによってガイド情報を出すタイミングを判定する判定部とを備えた情報管理装置と、複数の画像情報を取得する撮像部と、上記撮像部により取得された上記画像情報を送信する通信部とを備えた複数の撮像装置と、を具備する。
【００１７】
本発明の一態様の情報取得方法は、撮像装置は、複数の画像情報を取得し、取得した上記複数の画像情報を送信し、情報管理装置は、上記複数の画像情報を受信し、受信した上記複数の画像情報が特定の条件を満たしているかによってガイド情報を出すタイミングを判定する。
【発明の効果】
【００１８】
本発明によれば、予め設定された特定の条件を満たす画像データ等の情報を確実に取得することができるように、情報を取得する時点で情報管理を行うことのできる情報管理装置と、上記情報管理装置及び複数の上記情報取得機器とからなる情報管理システムと、上記情報管理システムにて用いられる情報管理方法とを提供することができる。
【図面の簡単な説明】
【００１９】
【図１】本発明の第１の実施形態の情報管理システムの概略構成を示すブロック構成図
【図２】図１の情報管理システムの一部を構成する第１情報取得機器（ウェアラブル端末装置）の概略構成を示す概念図
【図３】図２の第１情報取得機器（ウェアラブル端末装置）を作業者が装着したときの作業者の顔の正面から見たようすを示すと同時に作業者の両目による視界を示す概念図
【図４】図３で示す作業者の両目の視界をより詳細に示す概念図
【図５】図１の情報管理システムを使用して所定のメンテナンス作業（器具洗浄滅菌作業）を行っている様子を示す概念図
【図６】図１の情報管理システムを用いたメンテナンス作業（器具洗浄滅菌作業）の作業中にウェアラブル端末装置によって取得される画像データに基く画像の表示例
【図７】図１の情報管理システムを用いたメンテナンス作業で作成されるエビデンス情報の一例を示す図
【図８】図１の情報管理システムにおける情報管理装置の作用を示すフローチャート
【図９】図１の情報管理システムにおけるウェアラブル端末装置（第１情報取得機器）の作用を示すフローチャート
【図１０】図１の情報管理システムにおける補助カメラ（第２情報取得機器）の作用を示すフローチャート
【図１１】図１の作用において、第２情報取得機器（補助カメラ）の前面に向けて、手に持っている使用ツール（洗浄用ブラシ３００）を「かざす行為」を行っている様子を示す概念図
【図１２】図１１に示す状態とした時に、補助カメラによって取得される画像データ等の情報に基づいて表示される画像の表示例
【図１３】撮像ミス画像の例示
【図１４】本発明の第２の実施形態の情報管理システムの概念を説明する図
【図１５】本発明の第２の実施形態の情報管理システムの概略構成を示すブロック構成図
【図１６】図１４の情報管理システムにおける情報取得機器の作用の流れを示すフローチャート
【図１７】図１４の情報管理システムにおける情報管理装置の作用の流れを示すフローチャート
【図１８】図１７のステップＳ２４の集計処理のサブルーチン
【図１９】図１８のステップＳ３３の顔集計処理のサブルーチン
【図２０】図１９のステップＳ４４の画像評価処理のサブルーチン
【図２１】本発明の第２の実施形態の変形例の情報管理システムの作用を示すフローチャート
【図２２】画像分析集計アプリのメニュー画面表示の具体的な一例を示す図
【図２３】特定の人物が写っている画像を分類した集計結果と、各画像の評価値を合わせて示す集計表の例示
【図２４】撮影状況（シーン）別に分類した集計結果と画像評価値を合わせて示す集計表の例示
【図２５】動画データを分類及び分析した場合の例示
【図２６】図２５の動画データの集計結果についてのさらに詳細な分析結果を示す集計表の例示
【発明を実施するための形態】
【００２０】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２１】
［第１の実施形態］
本発明の第１の実施形態は、例えば産業分野等において、複数の情報取得機器を用いて複数の画像データ等の情報が取得されるような状況で利用される情報管理システムについての例示である。
【００２２】
以下、本発明の第１の実施形態の情報管理装置及び情報取得機器によって構成される情報管理システムの構成について詳述する。図１は、本発明の第１の実施形態の情報管理システムの概略構成を示すブロック構成図である。
【００２３】
本実施形態の情報管理システム１は、情報管理装置１０と複数の情報取得機器２０，３０と、データベース４０等によって構成される。
【００２４】
データベース４０は、上記複数の画像データ等の情報や、各種の作業情報データを蓄積したストレージ装置である。このデータベース４０は、情報管理装置１０と、複数の情報取得機器２０，３０のそれぞれとの間で、無線又は有線接続により、相互間での画像データ等の情報の送受信ができるように構成されている。
【００２５】
複数の情報取得機器２０，３０は、複数の画像データ等の情報を取得する電子機器である。これら複数の情報取得機器２０，３０は、具体的には、例えば、撮像光学系により結像された光学像を、例えばＣＣＤ（Ｃharge Ｃoupled Ｄevice；電荷結合素子）イメージセンサーやＣＭＯＳ（Ｃomplementary Ｍetal Ｏxide Ｓemiconductor；相補性金属酸化膜半導体）型イメージセンサー等の光電変換素子等（以下、撮像素子という）を用いて順次光電変換し、これにより得られた画像信号を所定の形態の画像データ（例えば静止画像又は動画像を表わすデジタル画像データ）として記憶媒体に記録する機能を有する。また、当該情報取得機器２０，３０は、取得したデジタル画像データに基いて静止画像又は動画像を再生表示する画像表示装置、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等を備えて構成される。
【００２６】
簡略にいうと、本発明の複数の情報取得機器２０，３０は、撮像素子等を含む撮像部を備え、この撮像部によって画像データ等の情報を取得し、これらを記録及び再生表示する機能を備えて構成される電子機器である。情報取得機器２０，３０の具体的な形態としては、例えば、デジタルカメラ等の撮像装置，撮像機能付きスマートホン，撮像機能付きタブレット端末等のほか、撮像機能付きウェアラブル端末装置等が相当する（詳細構成は後述する）。
【００２７】
本実施形態の複数の情報取得機器２０，３０は、例えば各種の工業生産物の生産工程における製造作業，組み立て作業又はメンテナンス作業等の作業中に、複数の画像データ等の情報をエビデンス情報として取得する。
【００２８】
ここで、エビデンス情報は、複数の作業工程からなる所定の一連の作業が規定の手順及び手法（いわゆる作業マニュアル）に従って実行されたことを証明するための情報をいう。
【００２９】
一方、本実施形態の情報管理装置１０は、これら複数の情報取得機器２０，３０を連携させて制御すると共に、当該複数の情報取得機器２０，３０によって取得された複数の画像データ等の情報をエビデンス情報として取得し管理する電子機器である。
【００３０】
また、当該情報管理装置１０は、上記複数の情報取得機器２０，３０を用いて取得された複数の画像データ等の情報を受けて、それらの画像データ等の情報が予め設定された特定の条件を満たしているかどうかを判定し、その判定結果に従って、特定の条件を満たす情報を確実に取得することができるよう管理する。この情報管理装置１０の具体的な形態としては、例えば、スマートホン，タブレット端末等が相当する（詳細構成は後述する）。
【００３１】
なお、本実施形態では、２台の情報取得機器２０，３０と１台の情報管理装置１０とによって構成した例を示している。しかし、この例示に限られることはなく、さらに多数の情報取得機器を用いるような構成も考えられる。
【００３２】
このような構成により、本実施形態の情報管理システム１は、対象とする作業中に、複数の情報取得機器２０，３０によって取得された複数の画像データ等の情報が、対象作業のエビデンス情報に関する特定の条件を満たしているか否かを、作業情報データベースの情報に基づいて判定する。そして、その判定結果によって、例えば当該画像データ等の情報が、特定の条件を満たしていないと判定された場合には、その旨を告知するための警告情報や、再度の情報取得を促すガイド情報等を作成する。さらに、それらの警告情報やガイド情報を出力する（表示部等）ことによって、使用者（ユーザ）に、その旨を告知する。これにより、対象作業に関する画像データ等の情報をエビデンス情報として取得するのに際し、常に確実に特定の条件を満たす画像データ等の情報を取得するようにできる。
【００３３】
本実施形態の情報管理システム１は、具体的には図１に示すように、第１情報取得機器であるウェアラブル端末装置２０（図２も参照）と、第２情報取得機器である補助カメラ３０との複数の情報取得機器と、これら複数の情報取得機器を連携させ制御すると共に、上記複数の情報取得機器２０，３０によって取得された複数の画像データ等の情報をエビデンス情報として管理する情報管理装置１０とによって構成される。
【００３４】
情報管理装置１０は、上記複数の情報取得機器２０，３０を連携させて動作させる制御等を行うと共に、複数の情報取得機器２０，３０によって取得された複数の画像データ等の情報をエビデンス情報として管理する情報管理装置１０とによって構成される。
【００３５】
そのために、情報管理装置１０は、制御部１１と、通信部１２と、表示部１３と、エビデンス記録部１４と、時計部１５等を有して構成されている。
【００３６】
なお、本実施形態の情報管理装置１０においては、図示を省略しているが、上述した各構成要素のほかにも、例えば操作部や表示部等、一般的ないわゆるスマートホン等の情報管理装置が具備している各種の構成要素を有している。図示を省略したこれら各種の構成要素については、本発明に直接関連しない部分であるので、その詳細説明は省略する。
【００３７】
制御部１１は、本実施形態の情報管理システム１の全体を統括的に制御する複数の制御回路等を含む構成部である。この制御部１１に含まれる複数の制御回路等としては、特に、作業判定部１１ａと、表示制御部１１ｂと、ガイド部１１ｃと、対象物判定部１１ｄと、大きさ判定部１１ｅと、画像判定部１１ｆ等がある。
【００３８】
作業判定部１１ａは、複数の情報取得機器（２０，３０）によって取得された画像データ等の情報と、データベース４０に予め蓄積されている情報と、対象物判定部１１ｄ及び大きさ判定部１１ｅによって取得された判定結果情報等に基づいて、実行された作業に関する各項目の確認や判定等を行う制御回路等を含む構成部である。
【００３９】
なお、ここで行われる判定は、例えば、作業に用いるツールの種類の判定や、各作業の種類の判定等である。
【００４０】
表示制御部１１ｂは、当該情報管理装置１０に含まれる表示部１３若しくは当該情報管理装置１０と連携する複数（２つ）の情報取得機器（２０，３０）に含まれる表示部（２５，３６）等を制御して、所定の表示（画像表示のほか警告表示やガイド表示等）を行わせるための制御回路等を含む構成部である。
【００４１】
ガイド部１１ｃは、複数の情報取得機器（２０，３０）によって取得された画像データ等の情報と、データベース４０に予め蓄積されている情報とに基づいて、実行された作業に関するガイド表示や、次に行うべき作業のガイド表示等を行うためのガイド情報を生成する制御回路等を含む構成部である。さらに、ガイド部１１ｃは、複数の情報取得機器（２０，３０）によって取得された画像データ等の情報が、例えば特定の条件を満たしていないと（後述の画像判定部１１ｆによって）判定された場合に、特定の条件を満たしていない旨の警告情報や、特定の条件を満たす情報を取得するためのガイド情報等を作成するガイド情報作成部としても機能する。
【００４２】
対象物判定部１１ｄ及び大きさ判定部１１ｅは、複数の情報取得機器（２０，３０）によって取得された画像データ等の情報と、データベース４０に予め蓄積されている情報とに基づいて、画像データ等の情報に含まれる所定の対象物の種類や部位，形状，大きさ，個数，状態等、所定の条件を検出し判定する制御回路等を含む構成部である。
【００４３】
なお、大きさの判定手段としては、上述した以外にも、例えばオートフォーカス機構を利用して、情報取得機器と対象物との間の距離と撮像素子サイズとの関係から、撮像素子の受光面上に結像された対象物のサイズを算出するといった手段を用いることも考えられる。
【００４４】
画像判定部１１ｆは、複数の情報取得機器２０，３０によって取得された画像データ等の情報に関する所定の判定を行う判定部として機能する回路部である。画像判定部１１ｆによる所定の判定としては、例えば、複数の情報取得機器２０，３０によって取得された画像データ等の情報が、特定の条件を満たしているか否か等の判定などである。
【００４５】
ここで、特定の条件とは、作業内容に関する撮像条件や撮像動作に関する撮像条件等がある。作業内容に関する撮像条件とは、例えば規定された時点において、規定された対象物が確実に写っているかどうか、撮像漏れがないかどうか等である。撮像動作に関する撮像条件とは、規定の対象物が判別可能な状態で画面内に確実に写っているかどうか、撮像ミス（ピント，露出，構図等）がないかどうか等である。
【００４６】
通信部１２は、複数の情報取得機器（２０，３０）のそれぞれの通信部（２２，３２）との間でデータ通信（情報の送受信）を行う制御回路等を含む送信部であり受信部である。つまり、通信部１２は、複数の情報取得機器２０，３０によって取得された画像データ等の情報を取得する情報取得部の一部として機能する。なお、通信部１２は、無線通信を用いる構成であってよいし、有線通信を用いる構成であってもよい。
【００４７】
表示部１３は、複数の情報取得機器２０，３０によって取得された画像データ等の情報や、その他各種の情報等のほか、各種アプリケーションの選択画面などを表示する表示用デバイスである。表示部１３としては、例えば液晶表示ディスプレイ（ＬＣＤ）や有機ＥＬ（エレクトロルミネッセンス）ディスプレイ等が適用される。
【００４８】
なお、図示は省略しているが、当該情報管理装置１０においては、表示部１３の表示面上に、例えばタッチパネル等の操作部が設けられている。
【００４９】
エビデンス記録部１４は、複数の情報取得機器（２０，３０）によって取得された画像データ等の情報と、これに関連する作業情報を関連付けて記録する制御回路等及び記録媒体等を含む構成部である。ここで、エビデンス記録部１４は、複数の情報取得機器２０，３０によって取得された画像データ等の情報を取得する情報取得部の一部として機能する。
【００５０】
時計部１５は、リアルタイムクロック（Real-Time Clock；ＲＴＣ）などと呼ばれる内部時計回路である。この時計部１５は、例えば出力データに付随させる日時情報を出力したり、制御処理中における所定の指示タイミング間の計時を行う等、時間制御等の際に利用される回路部である。
【００５１】
一方、複数の情報取得機器（２０，３０）のうち一方の第１情報取得機器は、ウェアラブル端末装置２０である。このウェアラブル端末装置２０は、例えば、図２に示すように、作業者が身体の一部（例えば顔面近傍等）に装着することによって、両手を自在とすることができると同時に、作業者自身の手元近傍の様子を常に撮像することができるような形態の情報取得機器である。
【００５２】
換言すると、ウェアラブル端末装置２０は、作業者の目線相当の作業情報を取得することができる形態の情報取得機器である。このウェアラブル端末装置２０は、主に第１画像データである動画像データを取得する。これは、作業者の頻繁な作業の流れを把握するためのものである。したがって、ウェアラブル端末装置２０で取得される画像データ等の情報としては、動画像データに限られることはない。
【００５３】
ここで、図２は、本実施形態の情報管理システムの一部を構成する第１情報取得機器（ウェアラブル端末装置）の概略構成を示す概念図である。なお、図２は、作業者が当該第１情報取得機器（ウェアラブル端末装置）を装着した状態を想定して図示している。
【００５４】
また、図３は、作業者が第１情報取得機器（ウェアラブル端末装置）を装着したときの作業者の顔の正面から見たようすを示し、同時に作業者の両目による視界を示す概念図である。そして、図４は図３で示す作業者の両目の視界をより詳細に示す概念図である。
【００５５】
本実施形態において、ウェアラブル端末装置２０は、上記制御部２１の制御下において単独で作用すると同時に、上記情報管理装置１０との間で通信を行うことによって、当該情報管理装置１０の制御部１１の制御下においても作用する情報取得機器である。
【００５６】
なお、本実施形態におけるウェアラブル端末装置２０は、主に動画像データ等の情報を取得する情報取得機器としているが、これに限られることはない。例えば、当該ウェアラブル端末装置２０は、作業者による所定の操作、或いは所定の行為をトリガーとして、任意に若しくは自動的に静止画像データを動画像データと同時に又は静止画像データを単独で取得し得るような構成でもよい。
【００５７】
ウェアラブル端末装置２０は、制御部２１と、通信部２２と、操作部２３と、撮像部２４（第１の撮像部）と、表示部２５と、記録部２６と、音声入力部２７ａと、音声出力部２７ｂと、時計部２８と、支持部２９（図３参照）等を有して構成されている。
【００５８】
制御部２１は、ウェアラブル端末装置２０の全体を統括的に制御する制御回路等を含む構成部である。この制御部２１は、例えば、ＣＰＵ（Central Processing Unit）等を用いたプロセッサ（processor；処理装置）によって構成されている。そして、制御部２１は、メモリ（不図示）に記憶されたプログラムにしたがって動作することにより、各構成部の制御を行う。
【００５９】
即ち制御部２１は、通信部２２を制御して情報管理装置１０との間で各種の情報の送受信（通信）を行う。制御部２１は、操作部２３からの操作入力を受けて各構成部の制御を行う。制御部２１は、撮像部２４を制御して画像データ等の情報を取得する。制御部２１は、表示部２５を制御して表示パネル２５ｂ（後述する；図２，図３参照）の表示画面に各種の情報表示を行う。制御部２１は、記録部２６を制御して画像データ等の情報を記録する。制御部２１は、音声入力部２７ａを制御して音声情報の入力を受ける。制御部２１は、音声出力部２７ｂを制御して音声情報の出力を行う。制御部２１は、時計部２８を制御して、時間情報や計時処理等を行う。制御部２１は、これら各種の制御を実行する。
【００６０】
これらの制御に加えて、制御部２１は、上記情報管理装置１０の制御部１１からの制御信号を受けて上記情報管理装置１０と連携して当該ウェアラブル端末装置２０を制御する。
【００６１】
制御部２１は、例えば、画像判定部２１ｂと、表示制御部２１ｃ等の複数の回路部等を有して構成されている。
【００６２】
画像判定部２１ｂは、撮像部２４によって取得された画像データに基づいて所定の判定を行う判定処理回路である。この画像判定部２１ｂは、上述の情報管理装置１０の制御部１１に含まれる各種判定部（１１ａ，１１ｄ，１１ｅ，１１ｆ）と同等若しくは簡易的な回路部である。また、この画像判定部２１ｂに画像内の重要な部分を切り出す機能（画像切り出し部）を設けてもよい。
【００６３】
つまり、当該画像判定部２１ｂは、第１画像データ（動画像）と第２画像データ（静止画像）とをデータベース４０の作業情報に従って判定する作業判定部として機能する。したがって、情報管理装置１０の制御部１１に各種判定部（１１ａ，１１ｄ，１１ｅ，１１ｆ）が設けられていれば、当該画像判定部２１ｂは省略することも可能である。
【００６４】
ここで、ウェアラブル端末装置２０側に画像判定部２１ｂを設けて構成されている場合には、当該画像判定部２１ｂによる判定結果のみを通信部（２２，１２）を介して情報管理装置１０の制御部１１へと送信すればよい。これを受けて、情報管理装置１０の制御部１１は、受信した判定結果情報に基づく制御を行う。したがって、この構成の場合、通信負荷を軽減させることができるという利点がある。
【００６５】
表示制御部２１ｃは、表示部２５を制御して表示パネル２５ｂ（図２参照）に所定の表示を行うための制御回路部である。
【００６６】
通信部２２は、情報管理装置１０との通信（情報の送受信）を司る制御回路等を含む送信部であり受信部である。通信部２２は、無線若しくは有線による所定の通信手段が適用される。通信部２２は、情報管理装置１０を介して作業者１００（又は第１情報取得機器であるウェアラブル端末装置２０）とは異なる位置に設けられた第２情報取得機器（補助カメラ３０）からの第２画像データを取得する通信部としても機能する。
【００６７】
さらに、通信部２２は、情報管理装置１０を介して若しくは直接データベース４０との間で通信を行って、当該データベース４０の作業情報を参照することもできる。なお、本実施形態においては、主に、通信部２２とデータベース４０とが直接通信を行うような構成としている。
【００６８】
操作部２３は、当該ウェアラブル端末装置２０を操作するための複数の操作部材と、これら複数の操作部材に対応し各所定の操作入力信号を発生させる複数の電気部品等によって構成される構成部である（その詳細構成は不図示）。
【００６９】
撮像部２４は、複数の画像データ等の情報を取得する情報取得部である。この撮像部２４は、撮像光学系２４ａ（図２，図３参照）や図示しない撮像素子及びその駆動制御回路等を有して構成される構成部である。この撮像部２４は、撮像光学系２４ａによって形成された撮像対象物の光学像を撮像素子によって順次光電変換し、これによって得られた画像データに基く画像を表示部２５の表示パネル２５ｂに順次表示する機能を有する。また、得られた画像信号に基づいて所定の形態の画像データ（例えば動画像データ若しくは静止画像データ）を形成し、これを記録部２６の記録媒体（不図示）に記録したり、通信部２２，１２を介して情報管理装置１０へと伝送する等の機能を有する。このような機能を有する撮像部２４自体の構成は、従来一般的な情報取得機器における撮像部と略同様である。したがって、その詳細な構成及び図示は省略する。
【００７０】
なお、撮像素子としては、例えばＣＣＤ（Charge Coupled Device；電荷結合素子）イメージセンサーやＣＭＯＳ（Complementary Metal Oxide Semiconductor；相補性金属酸化膜半導体）型イメージセンサー等の光電変換素子等が適用される。このような撮像部は、作業中の作業者目線（視界、視野）に近い画像が得られ、両手の間で行われる両手を使った詳細作業（目視チェックも含め）が確認しやすい。
【００７１】
表示部２５は、撮像部２４によって取得された画像データに基づいて画像を表示するほか、画像に重畳させて各種の警告表示若しくは各種所定のメッセージ表示又はガイド表示等を表示し得ると共に、適宜所定の動作モードの切り換えにより、当該ウェアラブル端末装置２０における各種の設定等のためのメニュー表示等を行う表示制御回路等を含む構成部である。
【００７２】
表示部２５は、図２に示すように、導光部２５ａと、表示パネル２５ｂ等を有して構成されている。表示パネル２５ｂは、各種の表示を行うための表示画面と、その表示を実現するための表示制御回路等を含んで構成される構成部である。この表示パネル２５ｂとしては、例えば、液晶表示ディスプレイ（ＬＣＤ）や有機エレクトロルミネッセンス（ＥＬ）ディスプレイ等が適用される。導光部２５ａは、表示パネル２５ｂに表示される画像を所定の表示面へと導く構成部である。
【００７３】
ここで、本実施形態のウェアラブル端末装置２０における表示パネル２５ｂは、図２に示すように、例えば作業者の視線方向（図２の矢印Ｘ１方向）に正対する正対面とは異なる方向に向けて設置されている。
【００７４】
具体的には、例えば、図２において、作業者の視線方向を矢印Ｘ１で示し、表示パネル２５ｂの表示面の向く方向を矢印Ｘ２で示している。この場合において、導光部２５ａの長軸方向は、図２の矢印Ｘ２方向と一致するように設けている。したがって、表示パネル２５ｂの表示面の画像を形成する光は、導光部２５ａによって矢印Ｘ２方向へと導かれる。
【００７５】
そして、導光部２５ａの内部において、一方の端部（符号２５ｘ参照）には、当該導光部２５ａによって上記矢印Ｘ２方向に導かれた光を、矢印Ｘ１方向へと折り曲げて導く光屈曲部材（プリズム等）が配設されている。したがって、表示パネル２５ｂの表示面から発した光は、導光部２５ａを矢印Ｘ２方向へと導かれ、上記プリズム等を介して作業者の一方の眼によって視認可能な位置（図３の符号２５ｃ参照）に表示されるように構成されている。
【００７６】
記録部２６は、ウェアラブル端末装置２０（第１情報取得機器）によって取得された画像データ等の情報を記録する制御回路等及び記録媒体等を含む構成部である。記録部２６自体は、従来一般に普及している電子機器に適用されているものと同様のものが適用される。したがって、その詳細構成の説明及び図示は省略する。
【００７７】
音声入力部２７ａは、音声情報を入力する電気部品と、これを駆動する駆動回路等を含んで構成される構成部である。音声入力部２７ａは、制御部２１によって制御されて、所定のタイミングで周囲環境下における音声情報を収集する。音声入力部２７ａとしては、例えばマイクロフォン等が適用される。
【００７８】
音声入力部２７ａの配置としては、例えばウェアラブル端末装置２０を作業者が装着したとき、作業者の口近傍に配置されているのが望ましい（図２参照）。このような配置とすることにより、作業者は、音声入力部２７ａへの音声入力を確実に行うことができる。
【００７９】
音声出力部２７ｂは、音声情報を出力する電気部品と、これを駆動する駆動回路等を含んで構成される構成部である。音声出力部２７ｂは、制御部２１によって制御されて、所定のタイミングで音声情報（例えば警告，メッセージ等の音声情報や音声ガイド等）を出力する。音声出力部２７ｂとしては、例えばスピーカ等の発音装置が適用される。
【００８０】
音声出力部２７ｂの配置としては、例えばウェアラブル端末装置２０を作業者が装着したとき、作業者の耳近傍に配置されているのが望ましい（図２参照）。このような配置とすることにより、作業者は、音声出力部２７ｂからの音声出力を確実に聞き取ることができる。
【００８１】
時計部２８は、上記時計部１５と同様の内部時計回路である。この時計部２８も、例えば出力データに付随させる日時情報を出力したり、制御処理中における所定の指示タイミング間の計時を行う等、時間制御等の際に利用される。
【００８２】
支持部２９（図２参照）は、本ウェアラブル端末装置２０の各構成部を組み付けると共に、作業者の身体の一部（例えば顔面近傍等）に装着し得るように構成されたフレーム部材である。図２に示す支持部２９の構成例は、いわゆる眼鏡フレーム形状に構成した例示である。
【００８３】
なお、図示を省略しているが、本実施形態におけるウェアラブル端末装置２０は、電源供給源となるバッテリを有している。このバッテリは、当該ウェアラブル端末装置２０を駆動するために必要な電力を発生し、制御部２１によって制御されることによって、各構成部への電力供給が行われる。
【００８４】
このように構成されたウェアラブル端末装置２０を、作業者が装着したときの様子は、例えば図２，図３に示すようになる。
【００８５】
なお、図２において、作業者１００の右眼を符号１０１Ｒで示し、左眼を符号１０１Ｌで示している。また、同図２において、右眼１０１Ｒによる右眼視野を符号１１０Ｒで示す点線で示し、左眼１０１Ｌによる左眼視野を符号１１０Ｌで示している。
【００８６】
この場合において、作業者１００は、ウェアラブル端末装置２０の支持部２９を、例えば（作業者１００自身にとっての）右耳近傍に装着するものとする。
【００８７】
このようにしてウェアラブル端末装置２０を装着状態としたとき、撮像部２４の撮像光学系２４ａは、作業者の視線方向（矢印Ｘ１方向）と略一致する方向に向けられる。そして、ウェアラブル端末装置２０を装着した状態で、作業者１００が頭を巡らせる等により視線方向を変更すると、撮像部２４の撮像光学系２４ａが向く方向も、視線方向に追随して変更される。したがって、作業者１００が当該ウェアラブル端末装置２０を装着した状態で撮像部２４によって取得される画像データは、作業者が見ている方向（視線方向）を含む所定の領域となる。
【００８８】
ここで、撮像部２４によって取得される画像データの撮像領域を、図２，図３において示す符号２４ｃの枠線とする。この撮像領域２４ｃは、撮像光学系２４ａの画角によって任意に設定することができる。本実施形態においては、撮像領域２４ｃは、作業者１００の右眼視野１１０Ｒと左眼視野１１０Ｌとを含む領域となるように設定されている。
【００８９】
さらに、作業者１００がウェアラブル端末装置２０を装着した状態では、表示部２５の表示パネル２５ｂによる表示は、導光部２５ａを介して作業者１００の右眼視野１１０Ｒ内において、図２，図３の符号２５ｃで示す所定の領域に表示される。この表示領域２５ｃは、作業者１００の左右両眼の全視野（１１０Ｒ，１１０Ｌ）のうちの一部に視認可能な形態で、かつ作業者１００の視野を阻害しない程度の領域である。作業者１００は、通常状態では、左右両眼の全視野（１１０Ｒ，１１０Ｌ）を視認できると共に、視線移動を行うことで表示領域２５ｃを中止して表示部２５の表示内容を視認することができるように構成されている。
【００９０】
他方、複数の情報取得機器（２０，３０）のうち他方の第２情報取得機器は、補助カメラ３０である。補助カメラ３０は、一般的な形態の情報取得機器若しくは作業台（不図示）等の近傍の所定の位置に載置若しくは固設される情報取得機器である。
【００９１】
換言すると、補助カメラ３０は、作業者の目線相当の作業情報とは異なる作業情報を取得することができる形態の情報取得機器である。
【００９２】
この補助カメラ３０は、作業者目線の画像とは異なる視野からの、いわば客観的な見地の情報を持つことが好ましく（システムとして情報が豊富（リッチ）になる）、主に第２画像データである静止画像データを取得する。エビデンス用に用いる場合は、後で人間が検証できるような静止画であることが好ましいからである。しかしながら、もちろん、それを連続的に取得すれば動画となるので、消費エネルギーや記録容量さえ問題なければ、こうした応用があってもよい。
【００９３】
補助カメラ３０の構成は、一般的な形態の情報取得機器と略同様である。例えば、補助カメラ３０は、図１に示すように、少なくとも制御部３１と、通信部３２と、時計部３３と、撮像部３４（第２の撮像部）と、記録部３５等を含んで構成されている。
【００９４】
制御部３１は、補助カメラ３０の全体を統括的に制御する制御回路等を含む構成部である。この制御部３１は、例えば、ＣＰＵ（Central Processing Unit）等を用いたプロセ
ッサ（processor；処理装置）によって構成されている。そして、制御部３１は、メモリ
（不図示）に記憶されたプログラムにしたがって動作することにより、各構成部の制御を行う。
【００９５】
制御部３１は、通信部３２を制御して情報管理装置１０との間で各種の情報の送受信（通信）を行い、撮像部３４を制御して画像データ等を取得する等の各種の制御を実行する。これらの制御に加えて、制御部３１は、上記情報管理装置１０の制御部１１からの制御信号を受けて上記情報管理装置１０と連携して当該補助カメラ３０を制御する。
【００９６】
通信部３２は、情報管理装置１０との通信（情報の送受信）を司る制御回路等を含む送信部であり受信部である。通信部３２は、無線若しくは有線による所定の通信手段が適用される。
【００９７】
なお、通信部３２は、情報管理装置１０を介して若しくは直接データベース４０との間で通信を行って、当該データベース４０の作業情報を参照することもできる。ここで、本実施形態においては、主に、通信部３２とデータベース４０とが直接通信を行うような構成としている。
【００９８】
撮像部３４は、複数の画像データ等の情報を取得する情報取得部である。この撮像部３４は、不図示の撮像光学系，撮像素子及びその駆動制御回路等を有して構成される構成部である。この撮像部３４は、撮像光学系によって形成された撮像対象物の光学像を撮像素子によって順次光電変換し、これによって得られた画像データを、通信部３２を介して情報管理装置１０へと伝送する等の機能を有する。また、同時に当該画像データに基く画像を表示部（不図示）を用いて順次表示する機能を有する。
【００９９】
このような機能を有する撮像部３４自体の構成は、上記ウェアラブル端末装置２０の撮像部２４や従来一般的な情報取得機器における撮像部と略同様である。例えば、図１においては図示を省略しているが、従来一般的な形態の情報取得機器が具備する構成部材（操作部や表示部，バッテリ等）も有している。これらの構成部材については、従来一般的な形態の情報取得機器と同様の構成及び作用を有するものであるので、その詳細説明は省略する。
【０１００】
なお、補助カメラ３０においても、制御部３１に画像判定部（作業判定部）等の判定部を設けて構成してもよい。補助カメラ３０の制御部３１に画像判定部３１ｂを設けて構成した場合には、上述のウェアラブル端末装置２０の制御部２１に画像判定部２１ｂを設けた場合と同様に、当該補助カメラ３０は画像判定部による判定結果のみを通信部（３２，１２）を介して情報管理装置１０の制御部１１へと送信すればよい。これを受けて、情報管理装置１０の制御部１１は、受信した判定結果情報に基づく制御を行う。したがって、この構成の場合、通信負荷を軽減させることができるという利点がある。
【０１０１】
このように構成された補助カメラ３０は、作業者が所定の作業をする際の作業場所の近傍に固定配置される。この場合において、補助カメラ３０は、作業対象とする対象物とこれを扱う作業者の手元近傍が少なくとも撮像領域に含まれるような位置に配置される。またさらに、補助カメラ３０は、作業者の作業中の様子をも確認することができるように、作業者の全体像が撮像領域に含まれるように配置されていればなおよい。こうして、作業目線とは異なる画像が得られる。
【０１０２】
データベース４０は、予め決められた各種の情報を蓄積するストレージ装置（補助記憶装置）である。本実施形態においては、データベース４０を情報管理装置１０や複数の情報取得機器２０，３０から独立した形態の外部ストレージ装置によって構成した例を示している。
【０１０３】
しかしながら、データベース４０の構成は、これらの形態に限られることはない。例えば、データベース４０を情報管理装置１０に含めて構成する例としてもよい。即ち、情報管理装置１０の内部に固定式の記憶媒体（内蔵メモリ等）を設ける形態や、情報管理装置１０に対して着脱式の記憶媒体（着脱カード式メモリ等））を設ける形態等としてもよい。
【０１０４】
データベース４０には、例えば作業情報データベース４１ａや画像データベース４１ｂ等が蓄積される。ここで、作業情報データベース４１ａは、複数の作業に関する各種の情報（対象物情報，使用ツール情報，作業種類情報等）等である。また、画像データベース４１ｂは、複数の情報取得機器２０，３０によって取得される画像データ等の情報である。即ち、これらの情報は、作業情報データベース４１ａに記録される各種情報に関連する画像データである。具体的には、例えば複数の作業に関する複数の視野からの画像データ等の情報である。
【０１０５】
なお、データベース４０と情報管理装置１０との間、またデータベース４０と複数の情報取得機器２０，３０のそれぞれとの間は、無線若しくは有線による所定の接続手段によって各種データの送受信を行い得るように構成されている。
【０１０６】
このように構成された本実施形態の情報管理システム１を用いて行われる作用を以下に説明する。
【０１０７】
本実施形態の情報管理システム１を用いて行う作業としては、各種の分野における各種の作業を想定することができるが、以下の説明においては、作業の具体的な一例として、医療器具等を扱う作業のうちの所定の医療器具等の洗浄等に関するメンテナンス作業を例に上げて説明する。具体的には、使用済みの医療器具である手術用器具や処置具等（例えばハサミ形状の器具。以下、ハサミと略記する）を洗浄して滅菌する作業（以下、器具洗浄滅菌作業という）を例示する。
【０１０８】
図５は、本実施形態の情報管理システムを使用して所定のメンテナンス作業（器具洗浄滅菌作業）を行っている様子を示す概念図である。
【０１０９】
図５に示すように、本実施形態にて例示するメンテナンス作業（器具洗浄滅菌作業）を行う際には、作業者１００は、所定の作業部屋内に設置された作業台１５０に向かって椅子１５１に座った状態で作業を行う。このとき、作業者１００は、顔面近傍にウェアラブル端末装置２０を装着した状態である。これにより、ウェアラブル端末装置２０は、作業者１００の視線方向を含む所定の領域の画像データ（主に動画像データ）を取得する。
【０１１０】
また、作業台１５０の台上には、補助カメラ３０が、作業者側に向けて載置されている。この補助カメラ３０は、作業者１００の少なくとも手元近傍を含む所定の領域の画像データを取得する。なお、補助カメラ３０は、水回りでの使用を考慮して、防水機能を有するものが望ましい。
【０１１１】
なお、図５においては、情報管理装置１０の図示を省略している。これは、本実施形態にて例示する作業の作業場所が水回り近傍にあることから、情報管理装置１０は、作業場所とは離れた場所に設置してあるためである。
【０１１２】
ここで例示するメンテナンス作業（器具洗浄滅菌作業）は、使用済みの医療器具である手術用器具や処置具等であるハサミ２００を洗浄して滅菌する作業である。したがって、作業台１５０には洗浄槽１５０ａが備わっている。さらに、当該洗浄槽１５０ａの上方には水道蛇口１５３が設置されている。この水道蛇口１５３のハンドル１５３ａを開栓方向に回転操作すると、流水口１５３ｂより流水１５４が流れ出る。
【０１１３】
作業者１００は、洗浄槽１５０ａに溜めた洗浄液（例えば水）にてメンテナンス対象の具器（ハサミ２００）を所定のツール（洗浄用ブラシ３００）を用いてブラッシング洗浄する。
【０１１４】
この作業を行っているとき、ウェアラブル端末装置２０によって取得される画像データ等の情報は、例えば図６に示すような画像となる。図６は、本実施形態の情報管理システムを用いたメンテナンス作業（器具洗浄滅菌作業）の作業中にウェアラブル端末装置によって取得される画像データに基く画像の表示例である。
【０１１５】
図６に示す画像表示例では、作業者１００が一方の手（左手１００Ｌ）にメンテナンス対象具器（ハサミ２００）を持ち、他方の手（右手１００Ｒ）に持った所定のツール（洗浄用ブラシ３００）を用いてブラッシング洗浄作業を行っているようすが示されている。このように、ウェアラブル端末装置２０は、作業者１００の手元近傍の領域を撮像している。
【０１１６】
ここで、本例の器具洗浄滅菌作業の流れの概略は次に示すようなものとなる。即ち、
（１）作業者はメンテナンス作業の対象とする対象物（器具）の確認を行う。
（２）作業者は、メンテナンス環境の状態の確認を行う
ここで、メンテナンス環境とは、当該作業を行うための場所（部屋，台等）の環境である。また、環境の状態の確認とは、清潔な状態にあるか否か、即ち器具の洗浄滅菌作業に適した環境の状態であるか否かの確認である。通常の場合、専用のメンテナンス環境（部屋，台等）が用意されている。
（３）作業者は、メンテナンス作業のうちの第１工程における第１作業を行う
ここで、メンテナンス作業は、複数の作業をまとめた工程を複数行うことで成立する一連の作業として考えるものとする。即ち、一つの所定のメンテナンス作業は、複数の作業工程を所定の手順で実行していくことによって成立する。これら複数の作業工程のそれぞれには、さらに複数の具体的な作業行為が含まれており、これら複数の作業を所定の手順で実行することによって、個々の作業工程は成立する。
【０１１７】
例えば、第１工程における第１作業として、メンテナンスツール（道具）の確認作業等がある。ここで、メンテナンスツールとは、例えば、器具を洗浄するための洗浄用のブラシ等である。このメンテナンスツールである洗浄用ブラシとしては、複数の作業に対応するために複数種類のものが用意されている。そこで、メンテナンスの対象とする器具毎に最適となるように（本例ではメンテナンス対象器具をハサミ２００としている）、また、所定の器具における対象部位に応じて適するツールが用意されている。そして、メンテナンス作業の各工程，各作業毎に最適なツールが選択される必要がある。このことから、個々の作業前には、使用ツールの確認が必要になる。
（４）作業者は、第１工程における第２作業を行う。ここで、第１作業工程における第２作業としては、例えば、メンテナンス対象器具の所定の第１部位（例えばハサミの刃部等、具体的な部位）を洗浄する作業等であるものとする（その具体例は省略）。
（５）作業者は、第１工程における第３作業を行う。ここで、第１作業工程における第３作業としては、例えば、メンテナンス対象器具の第１部位とは異なる所定の第２部位（例えばハサミの連結（ジョイント）部等、具体的な部位）を洗浄する作業等であるものとする（その具体例は省略）。
（６）作業者は、第１工程で規定されている複数の作業が終了したか否かの確認を行う。なお、当該作業例としては、第１工程を第１作業〜第３作業で完了するものとしている。ここで、第１工程の全作業の終了が確認されると、次のエビデンス化処理に進む。
（７）作業者は、第１工程の各作業に関するエビデンス化処理を行う。ここで、エビデンス化処理とは、第１工程の各作業が確実に完了していることを証拠として記録する作業である。具体的には、例えば、各作業毎に予めリストアップされた確認すべき作業項目について、作業者が実行したか否かを確認し、記録するチェックリスト等の情報を作成する処理である。
（８）作業者は、実行しているメンテナンス作業（器具洗浄滅菌作業）における全ての作業工程が終了したか否かの確認を行う。ここで、作業工程が全て終了していない場合には、次の工程の作業に移行する。また、作業工程が全て終了している場合には、次の最終エビデンス化処理に進む。
（９）作業者は、当該メンテナンス作業（器具洗浄滅菌作業）についての最終的なエビデンス化処理を行う。ここで、最終的なエビデンス化処理とは、例えば、各工程毎に作成されたチェックリストをまとめると共に、総合的かつ最終的な作業のチェックリストを作成し、エビデンス情報としてまとめる作業等である。
【０１１８】
また、エビデンス情報とは、例えば図７に示すような所定の形態で、複数の情報を纏めた一覧表形式の書類である。なお、エビデンス情報は、例えば紙面に印刷する形態の書類形式のものであってもよいし、電子的な形態のいわゆる電子ファイル形式のものであってもよい。ここで図７はメンテナンス作業で作成されるエビデンス情報の一例を示す図である。
【０１１９】
エビデンス情報は、例えばメンテナンスの対象とする器具の情報（インデックス情報）と、このメンテナンス対象器具毎に決められている複数の作業工程と、各作業工程内で行われるべき複数の作業内容についての情報等と、各作業内容に応じた複数の確認項目等をリストアップした一覧表形式のデータ集である。
【０１２０】
エビデンス情報に含まれる複数の確認項目は、例えば、図７に示すように、作業を行う周囲環境（例えば作業部屋，作業台等）や作業に使用するツール名，作業者名，作業時間（日時，開始終了時間）等である。これら複数の確認項目は、各作業工程の複数の作業毎に予め決められている。これらの確認項目リストに加えて、各作業中に取得される複数の画像（静止画像，動画像）データをエビデンス情報として記録し、各確認項目毎に対応する画像データ等の情報を関連付けて記録する。
【０１２１】
従来においては、エビデンス情報として記録される画像データ等の情報は、一連の作業中において各作業が完了する都度、作業者のマニュアルオペレーションにより情報取得がなされていたものである。本実施形態の情報管理システム１では、これらの画像データ等の情報を含むエビデンス情報は、自動的に記録されるように構成している。
【０１２２】
図７に示すように、各作業毎に適宜、エビデンス情報としての画像データ等の情報（図７において静止画像５２ａ参照）が、複数（２つ）の情報取得機器２０，３０によって取得される。
【０１２３】
ここで、本実施形態の情報管理システム１を使用して所定のメンテナンス作業（器具洗浄滅菌作業）を行う際の作用を、以下に説明する。
【０１２４】
上述したように、本実施形態の情報管理システム１は、作業者１００が所定の作業を行う際に、複数の情報取得機器（ウェアラブル端末装置２０と補助カメラ３０）と情報管理装置１０とを連携させて作用するシステムである。
【０１２５】
本実施形態の情報管理システム１において、複数の情報取得機器（２０，３０）は、作業者が順次行う複数の作業の状況を適宜撮像する。こうして取得された各画像データ等の情報は情報管理装置１０へと送信される。
【０１２６】
情報管理装置１０は、上記複数の情報取得機器（２０，３０）が取得した画像データ等の情報を受信して、これら画像データ等の情報と、データベース４０に予め蓄積された各種情報とに基づいて所定の判定処理を行う。ここで、情報管理装置１０によって行われる判定処理は、例えば、対象とする作業内容に応じて規定されている複数の確認項目、例えばメンテナンス対象の器具の判定，使用ツールの種類等の判定，作業行為（ブラッシング，水洗，擦拭，薬剤噴霧等）等の判定等である。
【０１２７】
そして、情報管理装置１０は、上記判定処理結果に基づいて、各種の制御処理を行う。例えば、実行された作業行為が規定の作業に合致する（正しい作業である）との判定結果の場合には、確認チェック表の作成等を行い、加えてエビデンス記録を行う。このエビデンス記録は、例えば、図６で示すエビデンス情報に含める情報の記録処理等である。
【０１２８】
また、例えば、実行された作業行為が規定の作業から外れている（作業ミスである）との判定結果の場合には、その旨の警告表示等を行うと共に、正しい作業のやり直しをさせる等のガイド表示等を行う。
【０１２９】
次に、本実施形態の情報管理システム１を使用して所定のメンテナンス作業（器具洗浄滅菌作業）を行う際の作用を、図８〜図１０のフローチャートを用いて以下に説明する。
【０１３０】
図８は、本実施形態の情報管理システムにおける情報管理装置の作用を示すフローチャートである。図９は、本実施形態の情報管理システムにおけるウェアラブル端末装置（第１情報取得機器）の作用を示すフローチャートである。図１０は、本実施形態の情報管理システムにおける補助カメラ（第２情報取得機器）の作用を示すフローチャートである。
【０１３１】
まず、本実施形態の情報管理システム１において、各装置（情報管理装置１０，ウェアラブル端末装置２０，補助カメラ３０）が電源オン状態とされているものとする。この状態において、作業者１００は、図５で示す所定の環境下にあって、所定の作業を開始する。ここで説明する所定の作業は、医療器具のメンテナンス作業のうちの「ハサミ洗浄滅菌作業」を例示する。
【０１３２】
即ち、情報管理装置１０は、電源オン状態で、所定の指示信号を受信する待機状態にある。また、ウェアラブル端末装置２０は、電源オン状態で、ライブビュー画像の撮像動作中であり、指示信号待機状態にある（図９のステップＳ２０１）。同様に、補助カメラ３０も電源オン状態で、ライブビュー画像の撮像動作中であり、指示信号待機状態にある（図１０のステップＳ３０１）。
【０１３３】
この状態で、作業者１００は、所定の作業場所にて、所定の「ハサミ洗浄滅菌作業」を開始する。まず、作業者１００は、「ハサミ洗浄滅菌作業」においてメンテナンス対象とする器具（ハサミ２００）を手に持って、これを補助カメラ３０の前面（撮像範囲内）にかざす行為を行う。
【０１３４】
すると、ウェアラブル端末装置２０は、当該行為（ハサミ２００を補助カメラ３０の前面にかざす行為。以下、「かざす行為」と略記する）が行われたか否かの検出を行う（図９のステップＳ２０２）。この検出処理は、例えば、ウェアラブル端末装置２０における制御部２１の画像判定部２１ｂにて行われる。ここで、器具を「かざす行為」が検出された場合には図９のステップＳ２０３の処理に進む。また、検出されない場合には引き続き当該検出処理を繰り返す。
【０１３５】
図９のステップＳ２０３において、ウェアラブル端末装置２０の制御部２１は、上記器具を「かざす行為」が行われた旨の情報（以下、「かざした情報」と略記する）を情報管理装置１０へと送信する。その後、ステップＳ２０４のライブビュー画像撮像動作を行いつつ待機状態となる。
【０１３６】
ここで、既に待機状態にある情報管理装置１０は、図８のステップＳ１０１にて、器具を「かざした情報」が受信されたか否かの確認を行う。ここで、器具を「かざした情報」の受信が確認された場合には、同図８の次のステップＳ１０２の処理に進む。なお、当該情報の受信が確認されない場合には、引き続き指示信号の受信を待機する。
【０１３７】
図８のステップＳ１０２において、情報管理装置１０の制御部１１は、補助カメラ３０に対して所定の撮像動作を実行する要求指示（撮像要求指示）を送信する。その後、補助カメラ３０から撮像結果（ハサミ２００の画像データ等の情報）が送信されてくるのを待機する。この時、撮像された画像の全部を送る必要はなく、特定の画像部分のみを切り出して送れば通信の負荷が軽くなる。ここでは、手の先とか器具とかツールが特定できる画像部分のみを切り出して送るようにしてもよい。
【０１３８】
これを受けて、補助カメラ３０は、図１０のステップＳ３０２において、情報管理装置１０からの撮像要求指示が受信されたか否かの確認を行う。ここで、撮像要求指示の受信が確認された場合には、所定の撮像動作を実行した後、図１０の次のステップＳ３０３の処理に進む。
【０１３９】
なお、ここで行われる撮像動作によって取得される画像データ等の情報は、例えばハサミ２００の拡大画像データのほか、例えば作業者１００自身を含めた周囲環境（例えば作業部屋，作業台等）の画像データ等の情報である。周囲環境データを取得することによって、当該作業が正しい（規定された）作業環境下においてなされているか、作業者１００が正しい（規定された）装具、具体的には例えばマスク，手袋，顔面保護具等を着用しているか否かの確認ができる。
【０１４０】
続いて、同図１０のステップＳ３０３において、撮像動作の結果取得された画像データ（主に静止画像データ）等の情報を情報管理装置１０へ向けて送信する。その後、ステップＳ３０１の処理に戻り、ライブビュー画像の撮像動作を継続して実行しながら、所定の指示信号の受信を待機する。
【０１４１】
一方、情報管理装置１０においては、補助カメラ３０による撮像結果（の一部でもよい）（ハサミ２００の画像データ等の情報）を受信する（図８のステップＳ１０２）。
【０１４２】
なお、図１０のステップＳ３０２において、撮像要求指示の受信が確認されない場合には、図１０のステップＳ３０１の処理に戻り、ライブビュー画像の撮像動作を継続して実行しながら、所定の指示信号の受信を待機する。
【０１４３】
図８に戻って、上述のステップＳ１０２の処理にて、情報管理装置１０は、補助カメラ３０からの撮像結果を受信したら、次のステップＳ１０２Ａの処理に進む。
【０１４４】
図８のステップＳ１０２Ａにおいて、情報管理装置１０の画像判定部１１ｆは、補助カメラ３０から受信した画像データやウェアラブル端末装置２０からの画像データ等の情報が、特定の条件を満たしているか否か等の判定を行う。
【０１４５】
ここで、図１１のように、ウェアラブル端末装置２０のユーザがかざしたことを示す画像と、図１２のかざしたゆえに撮像すべき画像の関係が揃ってこそ、各画像の意味が明確になる。図１１のようなかざしたエビデンスない状況で図１２の画像や図１３の画像を判定しても、それは、正しい作業の区切りとしての画像情報にはならない。つまり、複数の撮像装置がそれぞれ撮像した画像情報を無線通信で取得する情報取得部と、上記情報取得部が取得した上記複数の画像情報が、特定の条件を満たしているかによって特定のタイミングを判定することによって、意味のある画像が取得できる。そして、上記判定部の判定結果に従って上記特定の条件を満たす撮像を促すためのガイド情報を特定のタイミングにて作成することによって、正しく作業の内容や作業の結果を判定して作業ミスを防止することができる。
【０１４６】
受信画像データ等の情報が特定の条件を満たしていると判定された場合には、次のステップＳ１０２Ｂの処理に進む。また、受信画像データ等の情報が特定の条件を満たしていないと判定された場合には、ステップＳ１０２Ｃの処理に進む。
【０１４７】
なお、図１１は、第２情報取得機器（補助カメラ３０）の前面に向けて、手に持っている使用ツール（ここでは洗浄用ブラシ３００を例示している）を「かざす行為」を行っている様子を示す概念図である。ウェアラブル端末装置２０の表示部２５には、このような光景がライブビュー表示されている。
【０１４８】
また、図１２は、図１１に示す状態とした時（第２情報取得機器（補助カメラ３０）の前面に使用ツール（洗浄用ブラシ３００）をかざした時）に、補助カメラ３０によって取得される画像データ等の情報に基づいて表示される画像の表示例である。この場合において、当該画像データ等の情報をエビデンス情報として採用されるためには、図１２に示すように、使用ツール（ここでは洗浄用ブラシ３００）が、判別可能な状態で、画面内に確実に写っており、さらに、当該画像の撮像動作に関する撮像条件（例えばピントや露出や構図等）に問題がないことが求められる。
【０１４９】
例えば、図１３は撮像ミス画像の例示である。図１３に示す例では、使用ツール（ここでは洗浄用ブラシ３００）が、一部しか写っていない。したがって、この図１３の画像では、当該作業に適したツールが使用されているかどうかの判定ができないことになる。したがって、図１３のような画像は、撮像ミスと判定される。
【０１５０】
つまり、ガイド情報を出す特定のタイミングは、作業者が作業したつもりであって、それが正しく行われていないタイミングで行うのが作業者へのフィードバックがしやすく、図１１のようなウエアラブルカメラの画像と、据え置きサブカメラの画像（かざした画像とかざした手先の画像）を比較するなり、複数の撮像装置の画像の比較によって決めればよい。
【０１５１】
ステップＳ１０２Ｂにおいて、情報管理装置１０は、当該受信画像データ等の情報を記録部２６に記録する。同時に、同受信画像データ等の情報は、データベース４０の画像データベース４１ｂへ送られて記録される。その後、ステップＳ１０３の処理に進む。
【０１５２】
ステップＳ１０２Ｃにおいて、情報管理装置１０のガイド部１１ｃは、受信画像データ等の情報が、例えば特定の条件を満たしていないと画像判定部１１ｆによって判定された場合に、特定の条件を満たしていない旨の警告情報や、再度の撮像動作によって特定の条件を満たす情報を取得するための手順やアドバイス等を含むガイド情報等を作成する。その後、ステップＳ１０１の処理に戻る。
【０１５３】
なお、図示されていないが、ここで作成された警告情報やガイド情報は、ウェアラブル端末装置２０に向けて送信される。
【０１５４】
これを受けて、ウェアラブル端末装置２０は、受信した警告情報，ガイド情報を、表示部２５に表示する。
【０１５５】
作業者１００は、この警告表示を見て、さきほどの「かざす行為」によって取得されたエビデンス情報としての画像データ等の情報が、特定の条件を満たしていない旨を知ることができる。また、同時に表示されるガイド情報を見て、作業者１００は、特定の条件を満たす画像データ等の情報が取得できるように、ガイド情報に従った再度の「かざす行為」を行う。つまり、ステップＳ１０１の処理以降の処理が再度行われ、特定条件を満たす画像データが取得されるまで繰り返される。
【０１５６】
図８のステップＳ１０３において、情報管理装置１０は、制御部１１の対象物判定部１１ｄ，大きさ判定部１１ｅ等を制御してメンテナンス対象器具の判定処理を実行する。この判定処理は、上記ステップＳ１０２で受信した撮像結果（ハサミ２００の画像データ等の情報）と、データベース４０に蓄積されているメンテナンス対象器具の画像データ等の情報を参照して行う処理である。
【０１５７】
続いて、同図８のステップＳ１０４において、情報管理装置１０は、同様に、制御部１１の対象物判定部１１ｄ，大きさ判定部１１ｅ等を制御してメンテナンス環境の確認処理を行う。この確認処理は、ステップＳ１０３と同様に、上記ステップＳ１０２で受信した撮像結果（周囲環境や作業者の画像データ等の情報）と、データベース４０に蓄積されている対応データ等を参照して行う処理である。その後、情報管理装置１０は、所定の指示信号の受信待機状態となり、ステップＳ１０５の処理に進む。
【０１５８】
続いて、同図８のステップＳ１０５において、情報管理装置１０は、ツールを「かざした情報」が受信されたか否かの確認を行う。ここで、ツールを「かざした情報」の受信が確認された場合には、同図８の次のステップＳ１１１の処理に進む。なお、当該情報の受信が確認されない場合には、引き続き指示信号の受信を待機する（ステップＳ１０５のループ処理）。
【０１５９】
ここで、作業者１００は、第１工程の第１作業であるメンテナンスツールの確認作業を開始する。この場合において、作業者１００が行う作業は、当該作業で使用する適切なツール（洗浄用ブラシ３００）を手に持って、このツール（洗浄用ブラシ３００）を補助カメラ３０の前面（撮像範囲内）にかざす行為である。
【０１６０】
すると、上述のステップＳ２０４の処理にて待機状態となっているウェアラブル端末装置２０は、図９のステップＳ２０５において、当該行為（洗浄用ブラシ３００を補助カメラ３０の前面にかざす行為。以下、「かざす行為」と略記）が行われたか否かの検出を行う。この検出処理は、例えばウェアラブル端末装置２０における制御部２１の画像判定部２１ｂにて行われる。ここで、ツールを「かざす行為」が検出された場合には図９のステップＳ２０６の処理に進む。また、検出されない場合には引き続き当該検出処理を繰り返す。
【０１６１】
図９のステップＳ２０６において、ウェアラブル端末装置２０の制御部２１は、上記ツールを「かざす行為」についての情報（「かざした情報」と略記）を情報管理装置１０へと送信する。
【０１６２】
受信待機状態にある情報管理装置１０は、図８のステップＳ１０５にて、ツールを「かざした情報」が受信されたか否かの確認を行う。ここで、ツールを「かざした情報」の受信が確認された場合には、同図８の次のステップＳ１１１の処理に進む。なお、当該情報の受信が確認されない場合には、引き続き指示信号の受信を待機する。
【０１６３】
図８のステップＳ１１１において、情報管理装置１０の制御部１１は、作業判定部１１ａ等を制御してメンテナンスツールの確認作業（第１作業）の処理を実行する。
【０１６４】
続いて、同図８のステップＳ１１２において、情報管理装置１０は、作業確認要求指示をウェアラブル端末装置２０へ送信する。この作業確認要求指示は、ツールを「かざした情報」送信後のウェアラブル端末装置２０により取得される動画像データを要求する指示信号である。
【０１６５】
図９のステップＳ２１１において、ウェアラブル端末装置２０は、作業確認要求指示を受信したか否かの確認を行う。ここで、作業確認要求指示を受信した場合には、次のステップＳ２１２の処理に進む。また、作業確認要求指示を受信しない場合は、ステップＳ２２１の処理に進む。
【０１６６】
続いて、同図９のステップＳ２１２の処理にて、ウェアラブル端末装置２０は、取得した動画像データを情報管理装置１０へ送信する。その後ステップＳ２２１の処理に進む。
【０１６７】
図８のステップＳ１１３において、情報管理装置１０は、上述のステップＳ２１２の処理にてウェアラブル端末装置２０から送信された動画像データを受信する。そして、情報管理装置１０は、受信した動画像データと、データベース４０に蓄積されている対応データとを比較する。そして、取得された動画像データに基づいて、作業者１００が行った作業が正しい（規定された）作業であるか否かを確認する。
【０１６８】
次のステップＳ１１４において、上記比較結果に問題が無ければ、即ち作業者１００が行った作業（取得動画像）が正しい（規定された）作業であることが確認された場合（ＯＫである場合）には、次のステップＳ１１６の処理に進む。また、ＯＫではない場合には、ステップＳ１１５の処理に進む。
【０１６９】
図８のステップＳ１１５において、情報管理装置１０の制御部１１のガイド部１１ｃは、所定の警告表示やガイド表示等に関する所定の情報を、ウェアラブル端末装置２０へ送信する。その後、ステップＳ１１６の処理に進む。
【０１７０】
図９のステップＳ２２１において、ウェアラブル端末装置２０は、警告表示やガイド表示等の情報を受信したか否かの確認を行う。ここで、当該情報の受信が確認された場合には、次のステップＳ２２２の処理に進む。また、確認されない場合には、上述のステップＳ２０１の処理に戻り、ライブビュー画像撮像動作を行いつつ待機状態となる。
【０１７１】
ステップＳ２２２において、ウェアラブル端末装置２０の制御部２１は、表示部２５，音声出力部２８等を制御して、所定の形態の警告表示，ガイド表示等を実行する。
【０１７２】
なお、ここで、警告表示やガイド表示等は、表示部２５を用いた視覚的な情報表示のほか、音声出力部２８を用いた音声情報表示等がある。その後、上述のステップＳ２０１の処理に戻り、ライブビュー画像撮像動作を行いつつ待機状態となる。
【０１７３】
一方、情報管理装置１０は、ステップＳ１１６において、工程が終了したか否かの確認を行う。この確認は、例えばデータベース４０を参照する等による。ここで、工程が終了したことを確認すると、次のステップＳ１１７の処理に進む。また、工程終了が確認されない場合、即ち工程が終了しておらず、次の作業が存在する場合には、上述のステップＳ１１３の処理に戻る。
【０１７４】
ステップＳ１１７において、情報管理装置１０は、終了した工程についてのエビデンス化処理を実行する。このエビデンス化処理は、取得した画像データ等の情報を所定の形態で記録する等の処理である。その後、ステップＳ１２１の処理に進む。
【０１７５】
続いて、ステップＳ１２１において、情報管理装置１０は、当該作業の全ての工程が終了したか否かの確認を行う。ここで、全行程の終了を確認した場合には、次のステップＳ１２２の処理に進む。また、全行程終了が確認されない場合には、ステップＳ１２３の処理に進む。
【０１７６】
ここで、当該作業の全行程が終了していない場合、作業者１００は、手持ちのメンテナンスツール（前の作業で使用したツール）を、次の作業（例えば第２作業）で使用するメンテナンスツールに持ち替える（変更する）。
【０１７７】
この場合において、情報管理装置１０は、図８のステップＳ１２３において、メンテナンスツールの変更を確認する。その後、ステップＳ１０５の処理に戻り、以降同様の処理を繰り返す。
【０１７８】
一方、上述のステップＳ１２１の処理にて、全行程の終了を確認して、ステップＳ１２２の処理に進むと、このステップＳ１２２において、情報管理装置１０は、最終エビデンス化処理を実行する。この最終エビデンス化処理は、取得した複数の画像データ等の情報を所定の位置ファイルとしてファイル化すると共に、上記ステップＳ１１４の処理にて出力されるＯＫ信号に基いて作成されるチェックリスト等の作成処理等である。その後、全ての処理を終了して、待機状態に戻る。
【０１７９】
以上説明したように上記第１の実施形態によれば、情報管理システム１は、二つの情報取得機器（２０，３０）と情報管理装置１０とを連携させて作用させることにより、複数の作業からなる所定の一連の作業を規定の作業手順及び作業手法に従って確実に実行するための情報管理を行うことができ、よって作業ミスを抑止することができる。
【０１８０】
また、本実施形態の情報管理システム１においては、作業者が順次行う複数の作業の状況が、適宜自動的に撮像される。つまり、各作業毎に適宜、エビデンス情報としての画像データ等の情報（図７において静止画像５２ａ参照）が、複数（２つ）の情報取得機器２０，３０によって取得される。
【０１８１】
この場合において、複数（２つ）の情報取得機器２０，３０によって取得された画像データ等の情報は、データベース４０に蓄積された画像データ等の情報を参照し、当該画像データ等の情報が、特定の条件を満たしているかの判定を行う。そして、その判定結果に従って、所定の警告表示やガイド表示等を出力（表示等）を行なう。
【０１８２】
ここで、例えば２つの情報取得機器（２０，３０）によって取得された画像データ等の情報が、特定の条件を満たしていないと判定された場合には、その旨の警告表示や、再度の撮像動作を行う際に特定の条件を満たす情報を確実に取得することができるようにするためのガイド情報等を出力する（例えば表示部２５等に表示する）。
【０１８３】
これにより、作業中に撮像漏れや撮像ミス等の発生を知ることができると同時に、撮り直しを行うことができるので、確実にエビデンス情報としての画像データ等の情報を取得することができる。
【０１８４】
さらに、撮り直しを行う際には、特定の条件を満たす画像データ等の情報が取得できるようにガイドするガイド情報が表示されるので、確実なエビデンス情報を取得することができるようになる。
【０１８５】
［第２の実施形態］
次に、本発明の第２の実施形態の情報管理システムについて説明する。本実施形態は、例えば一般的な生活空間において、複数の情報取得機器を用いて複数の画像データ等の情報が取得されるような状況で利用される情報管理システムについての例示である。
【０１８６】
以下、本発明の第２の実施形態の情報管理装置及び情報取得機器によって構成される情報管理システムについて詳述する。図１４は、本発明の第２の実施形態の情報管理システムの概念を説明する図である。
【０１８７】
まず、図１４を用いて、本実施形態の情報管理システムを利用する状況について簡単に説明する。本実施形態は、例えば、複数人数からなる一般的な団体（グループ）が、所定の行事（例えばグループ旅行等）を行う際に、情報管理システムを利用する状況を想定している。
【０１８８】
一般に、グループ旅行等の行事（イベント）では、複数の参加者（人物）のそれぞれが、個人所有の情報取得機器（例えば撮像機能付き電子機器（デジタルカメラ，スマートホン，タブレット端末等））を持参していることが多い。
【０１８９】
そして、各参加者は、当該行事に参加したとき、自分の所有する情報取得機器を用いて画像データ等の情報を取得する。その際には、自分自身を含めて自分に近い人物（親しい人物）を主に撮影するのが普通である。
【０１９０】
そうして、複数の参加者のそれぞれの情報取得機器によって取得された複数の画像データを、全て集めて各種の分析等を行った場合、特定の人物が写っている画像が極端に多くなったり、若しくは少なくなったりする場合がある。
【０１９１】
例えば、図１４に示す符号２０Ａａ，２０Ａｂ，２０Ａｃは、参加者のそれぞれが所持する情報取得機器を示している。ここで、具体的には、情報取得機器２０Ａａは人物Ａの所有機器（例えばデジタルカメラ）とする。同様に、情報取得機器２０Ａｂは人物Ｂの所有機器（例えばスマートホン）と、情報取得機器２０Ａｃは人物Ｃの所有機器（例えばデジタルカメラ）とする。ここで、当該グループ旅行の参加者は、人物Ａ，Ｂ，Ｃの三名として例示するが、さらに多人数であっても同様である。
【０１９２】
図１４においては、各情報取得機器２０Ａａ，２０Ａｂ，２０Ａｃの各表示画面に、各情報取得機器２０Ａａ，２０Ａｂ，２０Ａｃによって取得された複数の画像データ等の情報のうちの一つを再生表示している状態を図示している。例えば、情報取得機器２０Ａａの表示画面には人物Ａが一人で写っている画像が表示されている。情報取得機器２０Ａｂの表示画面には人物Ａ，Ｂが並んで写っている画像が表示されている。情報取得機器２０Ａｃの表示画面には人物Ｂ，Ｃが並んで写っている画像が表示されている。
【０１９３】
そして、これら三台の情報取得機器２０Ａａ，２０Ａｂ，２０Ａｃによって取得された複数の画像データ等の情報は、例えば撮影動作毎に、若しくは所定のタイミングで、一台の情報管理装置１０Ａに対して送信されるようにしている。
【０１９４】
ここで、一台の情報管理装置１０Ａは、当該行事（グループ旅行）のリーダー（幹事）が所有する機器であるものとする。この情報管理装置１０Ａは、具体的には、例えばスマートホン等の情報管理機能を有する電子機器である。
【０１９５】
つまり、当該行事（グループ旅行）のリーダー（幹事）は、情報管理装置１０Ａを用いて、複数の参加者（人物Ａ，Ｂ，Ｃ）が各所持する複数の情報取得機器２０Ａａ，２０Ａｂ，２０Ａｃと連携し、当該行事（グループ旅行）で取得された複数の画像データ等の情報を、その行事の開催中に、その行事の現場で管理する。
【０１９６】
そのために、当該情報管理装置１０Ａは、複数の情報取得機器２０Ａａ，２０Ａｂ，２０Ａｃのそれぞれとの間で、画像データ等の情報の送受信を行ない得るように、予め相互の連携設定が必要になる。その連携設定の詳細は後述する。
【０１９７】
このようにして、複数の情報取得機器２０Ａａ，２０Ａｂ，２０Ａｃによって取得された複数の複数の画像データ等の情報は、情報管理装置１０Ａに集められる。これを受けて、当該情報管理装置１０Ａでは、これら複数の画像データ等の情報についての各種の分析等を行う。そのために、情報管理装置１０Ａは、画像分析集計アプリケーションソフトウエアを有している（詳細後述）。
【０１９８】
情報管理装置１０Ａによる分析結果の例示を、図１４の情報管理装置１０Ａの表示画面内に表示する形態で示している。図１４の例示では、例えば、縦軸を画像数とし、横軸上段を被写体（人物）とし、横軸下段を撮影場所（Ｘ地点，Ｙ地点）として示している。
【０１９９】
図１４に示す分析結果について詳述すると、Ｘ地点においては、人物Ａの写っている画像は５枚、人物Ｂの写っている画像は３枚、人物Ｃの写っている画像は２枚あるという集計結果が示されている。また、Ｙ地点においては、人物Ａの写っている画像は３枚、人物Ｂの写っている画像は５枚、人物Ｃの写っている画像は２枚あるとの集計結果が示されている。つまり、Ｘ地点からＹ地点に移動する前に、Ｘ地点で撮るべき写真を撮り逃さないようにしたい。
【０２００】
なお、ここで例示する分析結果は、参加者（人物）の分類（顔画像認識技術を用いる分析処理）と、その分類結果に基づく画像集計を行っている。情報管理装置１０Ａの画像分析集計アプリケーションソフトウエアは、これ以外にも、さまざまな分析を行うことができる。例えば、眼つぶり等や露出不足等による撮影ミスの判定や、顔の状態（笑顔であるか、顔が正面を向いているか等）を判定して、取得された画像データ等の情報の評価を行う等ができる。
【０２０１】
さらに、情報管理装置１０Ａは、上記分析結果に基づいて、撮影ミスを判定したり、特定の人物が写っている画像が極端に少ないか、若しくは特定の人物の写っている画像が無い等（撮影漏れ）の判定を行って、必要に応じて、その旨の警告情報やガイド情報を作成する。つまり、それらの情報は、特定の条件を満たす画像データ等の情報を確実に取得するための手順やアドバイス等を含む情報である。これらの警告情報やガイド情報は、対応する情報取得機器に対して送信される。
【０２０２】
このように、複数の撮像装置がそれぞれ撮像した画像情報を無線通信で取得する情報取得部が、上記複数の画像情報が、特定の条件を満たしているかによってガイド情報を出すが、その撮影の機会を逃さないようなガイドであることが好ましい。撮影を逃しそうになっても、特定のやり直しが効くタイミングを判定する判定部を設けてもよく、これは、多くの人が集中的に撮影している状況か否かによって判断することができる。例えば、撮影タイミングを横軸に縦軸に撮影枚数をグラフにするなどによって、撮影枚数が多いタイミングがベストで、そのタイミングから離れていくにしたがって取り直しがきかなくなるといった考え方ができる。つまり、統計的な分布の解析手法で判定できるので、複数の撮像装置での単位時間当たりの撮影数の分析といった判定方法が有効である。
【０２０３】
このように、本実施形態の情報管理システム１Ａにおいては、一台の情報管理装置１０Ａと複数の情報取得機器２０Ａａ，２０Ａｂ，２０Ａｃとを連携させて、複数の情報取得機器２０Ａａ，２０Ａｂ，２０Ａｃによって取得された複数の画像データ等の情報を、一台の情報管理装置１０Ａへ送信する。これを受けて、情報管理装置１０Ａは、複数の画像データ等の情報についての各種の分析等を行なう。これと共に、当該情報管理装置１０Ａは、その分析結果に従って、撮影ミスや撮影漏れ等を補うための警告情報やガイド情報を作成する。そして、それらの警告情報やガイド情報を対応する情報取得機器へと送信する。これを受けた情報取得機器側では、その機器の所持者が、受信した警告情報やガイド情報に従って、撮り直しや追加撮影を行う。これにより、撮影ミスや撮影漏れ等の発生を抑止することができるようになる。つまり、撮影の状況を一括管理しているので、撮影が盛んにおこなわれたタイミングと、もう撮影をやめて、移動しようとするタイミングが情報管理装置では、統計的に把握ができる。
【０２０４】
なお、こうした行事（イベント）では、複数の参加者とは別に、情報取得機器を持参した専門の記録担当者が随行する場合もある。この場合、当該記録担当者は、複数人が随行する場合もある。そして、当該記録担当者は、複数の参加者をまんべんなく撮影することが求められる。そのために、これらの記録担当者は、複数の情報取得機器を用いて大量の画像データ等の情報を取得する作業を強いられる。
【０２０５】
このような場合にも、本実施形態の撮影管理システム１Ａを利用すれば、記録担当者が複数の参加者をまんべんなく撮影する（特定の条件を満たす画像データ等の情報を確実に取得する）ための撮影管理を、現場でその都度行うことが容易にできる。
【０２０６】
次に、本発明の第２の実施形態の情報管理システムの概略構成を、図１５のブロック構成図によって説明する。本実施形態の情報管理システム１Ａの基本的な構成は、上述の第１の実施形態と略同様である。したがって、上述の第１の実施形態と同様の構成部材には、同じ符号を付して、その詳細説明は省略する。
【０２０７】
本実施形態の情報管理システム１Ａは、一台の情報管理装置１０Ａと複数の情報取得機器２０Ａ等によって構成される点においては、上述の第１の実施形態と同様である。なお、本実施形態においては、ストレージ装置としてのデータベースの図示を省略しているが、本実施形態においても、上述の第１の実施形態と同様に、別体のデータベース若しくは情報管理装置１０Ａの内部にデータベース（ストレージ）を設けるようにしてもよい。
【０２０８】
複数の情報取得機器２０Ａは、複数の画像データ等の情報を取得する電子機器である。なお、図１５においては、情報取得機器２０Ａの内部構成を示すために、情報取得機器２０Ａは一台分のみを図示している。したがって、図１５についての以下の説明では、「複数の」との文言を省略して説明する。
【０２０９】
情報取得機器２０Ａは、制御部２１と、通信部２２と、操作部２３と、タッチパネル２３ａと、撮像部２４と、表示部２５と、記録部２６と、音声入力部であるマイクロホン２７ａと、音声出力部であるスピーカ２７ｂと、時計部２８等を有して構成されている。
【０２１０】
制御部２１は、当該情報取得機器２０Ａの全体を統括的に制御する制御回路等を含む構成部である。この制御部２１自体は、上述の第１の実施形態の情報取得機器等におけるものと略同様である。
【０２１１】
制御部２１は、例えば、通信制御部２１ａと、画像分析部２１ｂと、表示制御部２１ｃと、画像処理部２１ｄと、編集部２１ｅ等の複数の回路部等を有して構成されている。
【０２１２】
通信制御部２１ａは、通信部２２を制御して、当該情報取得機器２０Ａと情報管理装置１０Ａとの間の通信を行うための制御回路部等を含む構成部である。
【０２１３】
画像分析部２１ｂは、撮像部２４によって取得された画像データに基づいて所定の画像分析処理、各種の分析処理等を行う回路部である。なお、画像分析部２１ｂは、上述の第１の実施形態の第１情報取得機器２０における画像判定部２１ｂに相当するものである。
【０２１４】
つまり、当該画像分析部２１ｂは、撮像部２４によって取得され画像処理部２１ｄによって処理済みのデジタル画像データに基づいて、各種の画像分析処理を行う処理回路部出る。画像分析部２１ｂによって行われる画像分析処理としては、例えば、画像データに含まれる顔画像を認識する顔認識処理等がある。このような機能によって画像処理部２１ｄと連携して、画像の重要な部分のみ切り出す機能を実現してもよい。こうした画像切り出し部があれば、画像集計に必要な情報を含む画像部分のみを送信するような仕様にすることが可能である。
【０２１５】
表示制御部２１ｃは、表示部２５を制御して表示パネルに所定の表示を行うための制御回路部である。
【０２１６】
画像処理部２１ｄは、撮像部２４によって取得された画像信号を受けて各種の画像処理を施す信号処理回路部である。
【０２１７】
編集部２１ｅは、画像処理部２１ｄによって処理済みのデジタル画像データに基づいて、各種の編集処理を行うデータ処理回路部である。この編集部２１ｅにて行われる編集処理としては、例えば、情報管理装置１０Ａによって行われる画像分析処理に必要となる部分画像データを、撮像部２４で取得された元の画像データから抽出若しくは切り出す編集処理等がある。具体的には、元の画像データに基づいて画像分析部２１ｂの顔認識処理により検出される顔画像部分データを切り出す編集処理等である。
【０２１８】
こうして切り出し編集された顔画像部分データは、通信部２２を介して情報管理装置１０Ａへと送信されて、当該情報管理装置１０Ａにおいて画像分析処理に供せられる。したがって、この構成の場合、取得された画像データ等の情報を丸ごと送信する必要は無く、画像分析処理に必要となる部分画像データのみを送信するだけでよいので、通信負荷を軽減させることができるという利点がある。
【０２１９】
通信部２２は、情報管理装置１０との通信（情報の送受信）を司る制御回路等を含む送信部であり受信部である。この通信部２２は、上述の第１の実施形態と同様である。なお、情報取得機器２０Ａにおける通信部２２としては、情報管理装置１０との直接的な通信を行う機能に代えて、より簡易的な近距離通信手段を備えたものであってもよい。この構成の場合における通信部２２は、既存の近距離通信手段を用いて、通信機能を備えたスマートホン等の電子機器を仲介として、情報管理装置１０との通信を行うことができる。
【０２２０】
操作部２３は、各種の操作部材と、これら操作部材に対応するスイッチ等の電子部品等からなる構成部である。
【０２２１】
なお、操作部２３には、さらにタッチパネル２３ａ等が含まれるものとする。このタッチパネル２３ａは、表示部２５の表示パネルの表示画面上に配置される一般的な形態のものが適用されている。なお、図１５においては、特に表示部２５に付随する形態で図示している。
【０２２２】
撮像部２４は、複数の画像データ等の情報を取得する情報取得部である。この撮像部２４は、光学系２４ａと、撮像素子２４ｂと、変倍駆動部２４ｆと、合焦駆動部２４ｄと、絞り部２４ｅ等を有して構成されているのが一般的である。なお、撮像部２４に含まれる構成部のうち、例えば変倍駆動部２４ｆと、合焦駆動部２４ｄと、絞り部２４ｅ等は必須の構成要素ではなく、これらを省略して構成しても、撮像部２４は成り立つ。
【０２２３】
表示部２５は、撮像部２４によって取得され画像処理部２１ｄにて処理済みの画像データ等の情報や、その他各種の情報等を表示する表示用デバイスである。表示部２５としては、例えば液晶表示ディスプレイ（ＬＣＤ）や有機ＥＬ（エレクトロルミネッセンス）ディスプレイ等が適用される。
【０２２４】
記録部２６は、撮像部２４によって取得され画像処理部２１ｄにて処理済みの画像データ等の情報を記録する制御回路等及び記録媒体等を含む構成部である。
音声入力部であるマイクロホン２７ａと、音声情報を入力する電気部品と、これを駆動する駆動回路等を含んで構成される構成部である。
【０２２５】
音声出力部であるスピーカ２７ｂと、音声情報を出力する電気部品と、これを駆動する駆動回路等を含んで構成される構成部である。スピーカ２７ｂは、制御部２１によって制御されて、所定のタイミングで音声情報（例えば警告，メッセージ等の音声情報や音声ガイド等）を出力する。
【０２２６】
時計部２８は、リアルタイムクロック（Real-Time Clock；ＲＴＣ）などと呼ばれる内部時計回路である。この時計部２８は、例えば出力データに付随させる日時情報を出力したり、制御処理中における所定の指示タイミング間の計時を行う等、時間制御等の際に利用される。
【０２２７】
このように構成される情報取得機器２０Ａの具体的な形態としては、例えば、デジタルカメラ等の撮像装置，撮像機能付きスマートホン，撮像機能付きタブレット端末等が相当する。
【０２２８】
一方、情報管理装置１０Ａは、複数の情報取得機器２０Ａによって取得された複数の画像データ等の情報を取得する電子機器である。また、当該情報管理装置１０Ａは、複数の情報取得機器２０Ａによって取得された複数の画像データ等の情報を受けて、それらの画像データ等の情報が予め設定された特定の条件を満たしているかどうかを判定し、その判定結果に従って、特定の条件を満たす情報を確実に取得することができるよう管理する。この情報管理装置１０Ａの具体的な形態としては、例えば、スマートホン，タブレット端末等が相当する。
【０２２９】
情報管理装置１０Ａは、制御部１１と、通信部１２と、表示部１３と、記録部１４と、時計部１５と、操作部１６等を有して構成されている。
【０２３０】
制御部１１は、本実施形態の情報管理システム１の全体を統括的に制御する複数の制御回路等を含む構成部である。この制御部１１に含まれる複数の制御回路等としては、特に、表示制御部１１ｂと、通信制御部１１ｇと、画像分析部１１ｆと、データ集計部１１ｈ等がある。
【０２３１】
表示制御部１１ｂは、当該情報管理装置１０Ａの表示部１３を制御して、所定の表示（画像表示のほか警告表示やガイド表示等）を行わせるための制御回路等を含む構成部である。
【０２３２】
通信制御部１１ｇは、通信部１２を制御して、当該情報管理装置１０Ａと複数の情報取得機器２０Ａとの間の通信を行うための制御回路等を含む構成部である。
【０２３３】
画像分析部１１ｆは、複数の情報取得機器２０Ａから送られてくる複数の画像データ等の情報に関する各種の画像分析処理等を行う回路部である。画像分析部１１ｆによる画像分析処理としては、例えば、複数の情報取得機器２０Ａによって取得された画像データ等の情報が、特定の条件を満たしているか否か等の判定処理等がある。また、データ集計部１１ｈによる集計結果等に基づいて、特定の条件を満たすようにするための種々の情報（警告情報，ガイド情報等）を作成する処理等も含むものとする。したがって、画像分析部１１ｆは、特定の条件を満たしていない旨の警告情報や、特定の条件を満たす情報を取得するためのガイド情報等を作成するガイド情報作成部としても機能する。
【０２３４】
ここで、特定の条件とは、
眼つぶり等や露出不足等による撮影ミスのない画像である、
顔の状態（笑顔であるか、顔が正面を向いているか等）が良好な画像である、
画面内における被写体（人物）の顔領域の専有面積が充分に大きく、かつ顔を識別できる程度に写っている画像である、
等の各条件をいう。これらの条件は、いわゆる「良い画像」であると認定し得るための各種の条件ともいえる。
【０２３５】
また、特定の条件としては、グループ旅行等、参加者が多人数である場合に、全ての参加者がまんべんなく写っているかどうか等の条件がある。この条件を満たすかどうかは、、例えば複数の画像データ等の情報についての集計結果に基づいて判定することができる。
【０２３６】
データ集計部１１ｈは、複数の情報取得機器２０Ａから送られてくる複数の画像データ等の情報に基づいて、各種の分類や集計等の処理等を行う回路部である。
【０２３７】
なお、本実施形態の情報管理装置１０Ａは、図１５においては図示を省略しているが、上述した各構成要素のほかにも、例えば操作部や表示部等、一般的ないわゆるスマートホン等の情報管理装置が具備している各種の構成要素を有している。図示を省略したこれらの各種構成要素については、本発明に直接関連しない部分であるので、その詳細説明は省略する。
【０２３８】
通信部１２は、複数の情報取得機器２０Ａの通信部２２との間でデータ通信（情報の送受信）を行う制御回路等を含む送受信部である。つまり、通信部１２は、複数の情報取得機器２０Ａによって取得された画像データ等の情報を取得する情報取得部の一部として機能する。また、通信部１２は、複数の情報取得機器２０Ａに対して、各種の情報（警告情報やガイド情報等）を送信する機能を有する。さらに、情報管理装置１０Ａの通信部１２は、既存の電話回線網を介して電話通信を行ったり、インターネット等を利用するネットワーク通信を行うこともできる。なお、通信部１２は、無線通信を用いる構成であってよいし、有線通信を用いる構成であってもよい。
【０２３９】
表示部１３は、複数の情報取得機器２０Ａ等から取得した画像データ等の情報や、その他各種の情報等のほか、各種アプリケーションの選択画面などを表示する表示用デバイスである。表示部１３としては、例えば液晶表示ディスプレイ（ＬＣＤ）や有機ＥＬ（エレクトロルミネッセンス）ディスプレイ等が適用される。
【０２４０】
なお、図１５に示すように、当該情報管理装置１０Ａにおいては、表示部１３の表示面上に、例えばタッチパネル１６ａが設けられている。このタッチパネル１６ａは、操作部の一部として機能する操作用構成デバイスである。タッチパネル１６ａ自体は、従来一般的な形態のものと同様のものが適用されているものとし、その詳細説明は省略する。
【０２４１】
記録部１４は、複数の情報取得機器２０Ａから送信されてきた画像データ等の情報や、当該情報管理装置１０Ａにおいて利用される各種のアプリケーションソフトウエア等を記録する制御回路等及び記録媒体等を含む構成部である。つまり、記録部１４は、複数の情報取得機器２０Ａによって取得された画像データ等の情報を取得する情報取得部の一部として機能している。
【０２４２】
図１５の例示では、記録部１４の形態として、各種のアプリケーションソフトウエア等の記録領域であるアプリ領域１４ａと、画像データ等の情報等の記録領域である画像領域１４ｂとを有する構成を示している。
【０２４３】
時計部１５は、リアルタイムクロック（Real-Time Clock；ＲＴＣ）などと呼ばれる内部時計回路である。この時計部１５は、例えば出力データに付随させる日時情報を出力したり、制御処理中における所定の指示タイミング間の計時を行う等、時間制御等の際に利用される回路部である。
【０２４４】
操作部１６は、各種の操作部材と、これら操作部材に対応するスイッチ等の電子部品等からなる構成部である。この操作部１６には、上述のタッチパネル１６ａも含まれるモノとする。
【０２４５】
なお、図１５においては図示を省略しているが、本実施形態における情報管理装置１０Ａ及び情報取得機器２０Ａのそれぞれは、電源供給源となるバッテリを有している。このバッテリは、これら情報管理装置１０Ａ及び情報取得機器２０Ａのそれぞれを駆動するために必要な電力を発生する。当該バッテリは、制御部１１によって制御されることによって、情報管理装置１０Ａ及び情報取得機器２０Ａのそれぞれの各構成部に対して電力供給を行う。
【０２４６】
このように構成された本実施形態の情報管理システム１Ａの作用を、以下に説明する。図１６〜図２０は、本発明の第２の実施形態の情報管理システムの作用を説明するフローチャートである。このうち、図１６は本実施形態の情報管理システム１Ａにおける情報取得機器２０Ａの作用の流れを示すフローチャートである。図１７は本実施形態の情報管理システム１Ａにおける情報管理装置１０Ａの作用の流れを示すフローチャートである。図１８は図１７のステップＳ２４の集計処理のサブルーチンである。図１９は図１８のステップＳ３３の顔集計処理のサブルーチンである。図２０は図１９のステップＳ４４の画像評価処理のサブルーチンである。
【０２４７】
まず、本実施形態の情報管理システム１Ａにおける情報取得機器２０Ａの作用を、図１６のフローチャートによって説明する。
【０２４８】
情報取得機器２０Ａは、電源状態がオン状態とされて起動している状態にあるものとする。この状態にあるとき、図１６のステップＳ１１において、制御部２１は、現在の動作モードが撮影モードであるか否かの確認を行う。ここで、撮影モードであることが確認された場合には次のステップＳ１２の処理に進む。また、撮影モードではないことが確認された場合にはステップＳ１８の処理に進む。
【０２４９】
ステップＳ１８において、制御部２１は、現在の動作モードが再生モードであるか否かの確認を行う。ここで、再生モードであることが確認された場合には次のステップＳ１９の処理に進む。また、再生モードではないことが確認された場合にはステップＳ２０の処理に進む。
【０２５０】
ステップＳ２０において、制御部２１は、現在の動作モードが送信モードであるか否かの確認を行う。この送信モードとは、使用者（ユーザ）が手動操作にて、画像データ等の情報を、情報管理装置１０Ａに送信操作するための動作モードである。ここで、送信モードであることが確認された場合には次のステップＳ２１の処理に進む。また、送信モードではないことが確認された場合にはステップＳ２２の処理に進む。
【０２５１】
ステップＳ２１において、制御部２１は、使用者（ユーザ）による操作部１６またはタッチパネル１６ａからの操作指示を受けて、例えば、未送信分の画像データや位置情報等の情報の送信処理を実行する（詳細後述）。そして、この送信処理が完了したら、ステップＳ１１の処理に戻る。
【０２５２】
ステップＳ２２において、制御部２１は、現在の動作モードが設定モードであるか否かの確認を行う。この設定モードとは、当該情報取得機器２０Ａにおける各種の設定を行うための動作モードである。設定モードにおいては、表示部２５の表示パネルに、設定項目を並べて表示する形態のメニュー表示等が表示される。使用者（ユーザ）は、このメニュー表示を見ながら操作部１６若しくはタッチパネル１６ａを用いて手動操作にて、所望の操作を行う。
【０２５３】
なお、この設定モードにおいて、当該情報取得機器２０Ａと、通信相手とする情報管理装置１０Ａとの通信を確立するための設定を行うことになる。その場合の通信設定の具体例については後述する。
【０２５４】
このステップＳ２２において、設定モードであることが確認された場合には次のステップＳ２３の処理に進む。また、設定モードではないことが確認された場合には、ステップＳ１１の処理に戻る。
【０２５５】
なお、実際には、例えば、上述した以外の動作モードがある場合には、ステップＳ２３の処理にてさらに分岐する処理ステップを設ければよい。本実施形態においては、上述した以外の動作モードは、本発明に直接関連しないので、その具体例は省略し、ステップＳ２３の処理にて「Ｎ」の場合は、便宜的に、ステップＳ１１の処理に戻るようにしている。
【０２５６】
ステップＳ２３において、制御部２１は、所定の設定処理を実行する。この設定処理においては、上述したように、まず、メニュー表示が表示されるので、使用者（ユーザ）は、適宜所望の操作を行って、所望の設定を行う。
【０２５７】
ここで、当該情報取得機器２０Ａと、通信相手とする情報管理装置１０Ａとの通信を確立するための設定を行う場合には、次のようにする。
【０２５８】
まず、情報取得機器２０Ａと情報管理装置１０Ａとの双方とも電源オン状態にする。また、情報取得機器２０Ａは、上述した設定モードに設定しておく。そして、通信相手とする情報管理装置１０Ａは、当該情報取得機器２０Ａを含む他の電子機器との間で通信を行うための所定のアプリケーションソフトウエア（詳細は後述するが本実施形態においては例えば通信設定アプリ等と呼称する）を起動する。すると、情報管理装置１０Ａは、情報取得機器２０Ａの検知を開始する。やがて、情報管理装置１０Ａが情報取得機器２０Ａを検知すると、情報管理装置１０Ａの表示部１３には、「名前」及び「パスワード」の入力画面が表示される。使用者（ユーザ）は、情報管理装置１０Ａの操作部１６，タッチパネル１６ａを用いて「名前」及び「パスワード」を入力する。
【０２５９】
続いて、例えば、情報取得装置２０Ａの本体に記載されたＱＲコード（登録商標）を、情報管理装置１０Ａの撮像機能を用いて読み取ると、自動的に両者間の通信が確立する。
【０２６０】
なお、情報取得機器２０Ａと情報管理装置１０Ａとの通信確立設定の手順や手段は、上述した例に限られることはなく、他の方法を用いてもよい。電子機器間の通信確立設定の手段は、従来一般に実用化されており、それら従来の手段を適用すればよい。
【０２６１】
一方、上述のステップＳ１８の処理にて再生モードが確認されてステップＳ１９の処理に進むと、このステップＳ１９において、制御部２１は、所定の再生処理を実行する。そして、この再生処理の一連の処理の終了が確認された場合にはステップＳ１１の処理に戻る。なお、ここで、情報取得機器２０Ａにおいて実行される再生処理は、本発明に直接関連しない部分であるので、その詳細説明は省略する。
【０２６２】
他方、上述のステップＳ１１の処理にて撮影モードが確認されてステップＳ１２の処理に進むと、このステップＳ１２において、制御部２１は、撮影モードに対応した各種の動作制御処理（以下、撮影モード処理という）を実行する。例えば、撮像部２４を制御して画像信号を取得する。取得した画像信号について、画像処理部２１ｄによって信号処理を施して所定の形態の画像データを生成する。生成した画像データに基く画像を表示部２５の表示パネルに表示する。これらの処理を連続的に継続して行うライブビュー表示処理を実行する。このライブビュー表示処理を含む一連の処理を撮影モード処理というものとする。
【０２６３】
ステップＳ１３において、制御部２１は、上述のライブビュー表示処理等の撮影モード処理を継続実行しながら、並行して、警告情報やガイド情報等の受信を待機する情報受信待機処理を実行する。つまり、この時点においては、撮影モード処理と情報受信待機処理とが並行して継続実行されている。
【０２６４】
ここで、受信される情報は、情報管理装置１０Ａによる画像分析結果，画像分析結果に応じた警告情報又はガイド情報に含まれる情報である。具体的には、例えば、特定の人物が写っている画像が極端に少ないか、若しくは特定の人物の写っている画像が無い等の撮影漏れがあると判定された場合における「特定の人物」、即ち「写っている画像が少ない（又は無い）人物」に関する情報等である。この警告情報又はガイド情報は、情報管理装置１０Ａから随時送信されてくる情報である。
【０２６５】
当該ステップＳ１３の処理にて、警告情報又はガイド情報が受信された場合にはステップＳ１４の処理に進む。
【０２６６】
ステップＳ１４において、制御部２１は、受信した警告情報又はガイド情報を、表示部２５の表示パネルに表示する。この表示は、例えばライブビュー表示に重畳させて行うようにすればよい。
【０２６７】
こうして、撮影モード処理と情報受信待機処理とを並行して実行中に、次のステップＳ１５において、制御部２１は、所定の撮像操作が行われたか否かの確認を行う。ここで、所定の撮像操作とは、例えばレリーズ操作が相当する。このレリーズ操作が使用者（ユーザ）によって行われると、当該レリーズ操作を受けてレリーズ信号が発生し、所定の撮像動作が開始されることになる。ここで、レリーズ操作が確認された場合には、次のステップＳ１６の処理に進む。また、レリーズ操作が確認されない場合には、ステップＳ１１の処理に戻り、以降の処理を繰り返す。
【０２６８】
ステップＳ１６において、制御部２１は、所定の撮像動作処理及び記録動作処理を実行する。ここで行われる所定の撮像動作処理及び記録動作処理は、従来一般的な撮像装置によってなされる通常の処理である。したがって、その詳細説明は省略する。
【０２６９】
続いて、ステップＳ１７において、制御部２１は、取得済みの画像データ等の情報を情報管理装置１０Ａへと送信する送信処理を実行する。ここで、送信される情報は、例えば所得済みの画像データ等に加えて、当該画像データの取得時（即ち現時点での）位置情報等も含まれる。
【０２７０】
また、送信する画像はリサイズや画像切り出しなどによる部分画像化によって通信する時の情報量を減らしてもよい。これによって省エネなどの効果が得られる。例えば、誰が写っているかの判定には顔画像部分だけを送信しても要求を満たすことができる。
【０２７１】
この場合において、位置情報は、例えば情報取得機器２０ＡにＧＰＳ（Global Positioning System；不図示）等を搭載することで取得する情報である。また、これとは別の構成として、例えば、当該情報取得機器２０Ａを所持する人物が別に所持しているスマートホン等の位置情報取得手段を有する電子機器から位置情報を取得するようにし、こうして取得した位置情報を、画像データ等と共に、情報管理装置１０Ａへと送信するようにしてもよい。
【０２７２】
なお、画像データ等のほかに位置情報を含むその他の関連情報を送信する際には、それら複数の情報を関連付ける処理を施しておくのが望ましい。このように、画像データと共に送信する一連の情報を関連付けておけば、情報管理装置１０Ａへと送信された後に、当該情報管理装置１０Ａにて行われる各種の画像分析処理，画像分析処理の際に至便である。
【０２７３】
なお、上述のステップＳ１７の送信処理は、当該情報取得機器２０Ａと、送信相手となる情報管理装置１０Ａの置かれている周囲環境によっては、正常に送受信が確立しない場合もあり得る。
【０２７４】
そのような場合を考慮して、当該ステップＳ１７の送信処理においては、情報取得機器２０Ａと情報管理装置１０Ａとの間の通信が途絶えたり、送受信に時間がかかるような場合には、送信処理を中断して、次の撮影の待機状態となるようにしてもよい。このように、通信処理を一時中断した場合には、通信状況の回復を待機するモードとし、通信状況が回復し次第通信を再開するようにすればよい。また、これとは別に、通信処理を一時中断して未送信データが残っている場合、使用者（ユーザ）が手動操作にて送信モード等に移行させて、手動送信を行うようにしてもよい（ステップＳ２０〜Ｓ２１の処理）。
【０２７５】
そうして、このステップＳ１７の送信処理が完了し、若しくは一時中断されて一連の送信処理を終了した場合には、上述のステップＳ１１の処理に戻り、以降の処理を繰り返す。
【０２７６】
次に、本実施形態の情報管理システム１Ａにおける情報管理装置１０Ａの作用を、図１７のフローチャートによって説明する。
【０２７７】
まず、情報管理装置１０Ａは、電源状態がオン状態とされて起動している状態にあるものとする。
【０２７８】
この状態にあるとき、図１７のステップＳ３１において、制御部１１は、画像分析集計アプリが起動されたか否かの確認を行う。ここで、画像分析集計アプリが起動されたことが確認された場合には次のステップＳ３２の処理に進む。また、画像分析集計アプリが起動されたことが確認されない場合（例えば他のアプリが起動された場合など）にはステップＳ３７の処理に進む。
【０２７９】
なお、ここで、当該情報管理装置１０Ａが、通信相手とする情報取得機器２０Ａとの間で通信を確立するための設定が行われていない場合には、使用者（ユーザ）は、上記その他の処理のうちの通信設定アプリを起動することになる。したがって、この場合、上述のステップＳ３１の処理にて「Ｎ」へと分岐して、ステップＳ３７の処理にて、通信設定アプリの起動を確認し、当該通信設定アプリに応じた上述の処理を実行する。そして、当該通信設定アプリの終了後、上述のステップＳ３１の処理に戻る。
【０２８０】
一方、当該情報管理装置１０Ａが情報取得機器２０Ａとの間で既に通信が確立されている状態において、上述のステップＳ３１の処理にて画像分析集計アプリが起動されると、当該情報管理装置１０Ａは、情報取得機器２０Ａからの画像データ等の情報を受信する待機状態となる。これと同時に、当該情報管理装置１０Ａは、複数の情報取得機器２０Ａによって取得された画像データ等の情報に関する各種の画像分析処理を実行し得る状態になる。そのために、当該情報管理装置１０Ａの表示部１３の表示画面には、画像分析集計アプリのメニュー画面が表示される。
【０２８１】
ここで、画像分析集計アプリのメニュー画面表示の具体的な一例を図２２に図示する。なお、この図２２に図示するメニュー画面は、単なる一表示例であり、この例に限られることはなく、さまざまな形態の表示が考えられる。
【０２８２】
図２２において、表示部１３には、複数の情報取得機器２０Ａによって取得され当該情報管理装置１０Ａに送信されて収集された画像５０が並べて一覧形式で表示されている。この状態で、表示部１３のタッチパネル１６ａに対し上下方向にスワイプ操作すると、表示されていない他の画像５０を出現させることができる。
【０２８３】
また、表示部１３の一部（図２２の例示では画面上寄りの部位）に検索欄５１が固定表示されている。この検索欄５１内の一部には、プルダウン指示アイコン５２が表示されている。このプルダウン指示アイコン５２をタッチすると、プルダウンリスト５３が表示される。なお、図２２は、プルダウンリスト５３が表示されている状態を示している。
【０２８４】
この状態で、プルダウンリスト５３の中から所望の項目をタッチそうさすると、その所望の項目を選択したことになる。そして、その選択項目が検索欄５１内に表示される。これと同時に、複数の画像５０の中から、選択項目に従って検索処理がなされる。そして、表示部１３には、検索結果として、選択項目に応じた画像５０が表示される。なお、プリダウンリスト５３の中から選択項目を選択する際には、複数選択も可能である。
【０２８５】
図１７に戻って、ステップＳ３２において、制御部１１は、情報取得機器２０Ａから画像データ等の情報を送信するための画像受信要求信号が検出されたか否かの確認を行う。ここで、画像受信要求とは、情報取得機器２０Ａが画像データ等の情報の送信処理を実行するとき、実際に情報を送信するのに先だって、通信相手となる情報管理装置１０Ａに対して送る指示信号である。情報取得機器２０Ａが送信処理を開始しても、情報管理装置１０Ａ側の受信体勢が整っていなければ、データ受信はできないからである。したがって、情報取得機器２０Ａは、実際の情報送信をする前に画像受信要求信号を発信し、情報取得機器２０Ａがこれを受信すると共に、情報取得機器２０Ａが情報管理装置１０Ａに対して受信体勢にある旨の信号を返信する。これを受けて、情報取得機器２０Ａは送信処理を開始する。そして、情報管理装置１０Ａは当該情報を受信する。
【０２８６】
こうしてステップＳ３２において、画像受信要求信号が検出された場合には、ステップＳ３３の処理に進む。また、画像受信要求信号が検出されない場合は、情報取得機器２０Ａからの画像データ等の情報の受信待機状態を維持しつつ、ステップＳ３７の処理に進む。
【０２８７】
ステップＳ３７において、制御部１１は、その他のアプリの起動待機状態となる。ここで、使用者（ユーザ）によって所定のアプリが起動されると、そのアプリに応じた処理を実行する。例えば、ここで、通信設定アプリが起動されると、当該情報管理装置１０Ａは、通信相手とする情報取得機器２０Ａとの間で通信を行うための設定を行う処理を実行する。使用者（ユーザ）は、表示部１３の表示に従って所定の設定操作を行うことになる。
【０２８８】
上述のステップＳ３２の処理にて、画像受信要求信号が検出されてステップＳ３３の処理に進むと、このステップＳ３３において、制御部１１は、所定の画像受信処理を実行する。この画像受信処理は、従来一般的な電子機器間で行われるデータ通信処理と同様の処理であるものとして、その詳細説明は省略する。画像受信処理が終了すると、次のステップＳ３４の処理に進む。
【０２８９】
続いて、ステップＳ３４において、制御部１１は、所定の集計処理を実行する。この集計処理のサブルーチンを図１８に示す。
【０２９０】
ここで、集計処理のサブルーチンを図１８によって説明する。図１８のステップＳ４１において、制御部１１は、新たに受信された画像の有無の確認を行う。ここで、新たな受信画像が確認されると、次のステップＳ４２の処理にて、当該受信画像を集計表（後述）の画像管理行に追加する。その後、ステップＳ４３の顔集計処理に進む。この顔集計処理のサブルーチンを図１９に示す（詳細後述）。当該顔集計処理が完了したら、ステップＳ４１の処理に戻り、受信画像がなくなるまで同じ処理を繰り返す。当該ステップＳ４１の処理にて、新たな受信画像が無いことが確認されると、元の処理に戻り（リターン）、図１７のステップＳ３５の処理に進む。
【０２９１】
ここで、顔集計処理のサブルーチンを図１９によって説明する。図１９のステップＳ５１において、制御部１１は、対象とする受信画像内に人間の顔が認識されたか否かの判定を行う。この判定は、通常の顔画像認識技術を用いるいわゆる顔認識処理である。ここで、人物の顔が認識された場合には、次のステップＳ５２の処理に進む。また、人物の顔が認識されない場合には、一連の処理を終了して元の処理に戻り（リターン）、上述のステップＳ４１の処理に進む。そして、以降の処理を繰り返す。
【０２９２】
ステップＳ５２において、制御部１１は、認識された人物の顔が新規の顔であるか否かの判定を行う。この判定は、予め登録されている人物の顔以外の顔であるかの判定である。また、これ以外にも、今回のイベントで取得された複数の画像データ等の情報の範囲内での分析集計結果に基づいて、新規の顔であるかどうかを判定するようにしてもよい。ここで、新規の顔であると判定された場合には次のステップＳ５３の処理に進む。また、新規の顔ではない（登録済みの顔か若しくは以前に認識済みの顔である）場合にはステップＳ５１の処理に戻り、以降の処理を繰り返す。つまり、同一画像内で他の顔認識処理を行う。そして、同一画像内の全ての顔認識処理を終了したら、一連の処理を終了して元の処理に戻り（リターン）、上述のステップＳ４１の処理に進む。そして、以降の処理を繰り返す。
【０２９３】
ステップＳ５３において、制御部１１は、新規に認識された顔についての情報を集計表（後述）の情報管理列に追加する。その後、ステップＳ５４の画像評価処理に進む。この画像評価処理を図２０に示す（詳細後述）。その後、ステップＳ５１の処理に戻り、以降の処理を繰り返す。
【０２９４】
次いで、画像評価処理を図２０によって説明する。図２０のステップＳ６１において、制御部１１は、画像内の顔領域の露出は適正であるか否かの判定を行う。ここで、顔部分は適正露出であると判定されると次のステップＳ６２の処理に進む。また、顔部分は適正露出ではないと判定されるとステップＳ６５の処理に進む。
【０２９５】
ステップＳ６２において、制御部１１は、画像内の顔領域の大きさは適切か否かの判定を行う。ここで、顔領域の大きさが適切か否かの判定基準としては、例えば顔を識別できる程度に写っているか否か、若しくは画面内における人物の顔領域が充分に大きい（例えば画面全体に対して顔領域が２０％以上である等）か否か、又は顔が正面を向いているか否か等の特定の条件を基準とすればよい。
【０２９６】
ここで、顔領域の大きさが適切であると判定された場合には、次のステップＳ６３の処理に進む。また、顔領域の大きさが適切ではないと判定された場合には、ステップＳ６５の処理に進む。
【０２９７】
ステップＳ６３において、制御部１１は、画像内の顔が笑顔であるか否かの判定を行う。ここで、笑顔であるか否かの判定は、例えば、目尻や頬，口角等、顔を構成するパーツに着目して、各パーツの角度や状態を検出したり、口が開き歯が覗けている等、各種の条件を組み合わせて判定することができる。このような笑顔判定技術については、従来一般に実用化されている技術を応用すればよい。
【０２９８】
ここで、笑顔であると判定された場合には、次のステップＳ６４の処理に進む。また、笑顔ではないと判定された場合には、ステップＳ６５の処理に進む。
【０２９９】
ステップＳ６４において、制御部１１は、対象画像における対象とする顔の評価値として、「良好」である旨を表す「○」を付与する。その後、一連の処理を終了して元の処理に戻り（リターン）、図１９のステップＳ５１の処理に進む。そして、以降の処理を繰り返す。
【０３００】
一方、上述のステップＳ６１，Ｓ６２，Ｓ６３の各処理からステップＳ６５の処理に進んだ場合、このステップＳ６５において、制御部１１は、対象画像における対象とする顔の評価値として、「もう一歩」である旨を表す「△」を付与する。その後、一連の処理を終了して元の処理に戻り（リターン）、図１９のステップＳ５１の処理に進む。そして、以降の処理を繰り返す。
【０３０１】
このようにして得られる集計結果や分析結果は、例えば、図２３〜図２６に示すような形態で表すことができる。これらの集計結果や分析結果は、情報管理装置１０Ａにおいて、画像分析集計アプリを起動させることで、表示部１３に表示させることができる。
【０３０２】
例えば、図２３は特定の人物（Ａさん，Ｂさん，Ｃさん，Ｄさん…）が写っている画像を分類した集計結果と、各画像の評価値を合わせて示す集計表の例示である。具体的には、例えば人物Ａさんが写っている画像は画像番号１，３，４である。このうち、画像番号１は「良好（○）」の評価が付与され、画像番号３，４は「いま一歩（△）」の評価が付与されている。その他の人物についても同様である。
【０３０３】
なお、図２３の集計表では、人物Ｄさんは写っている画像が、現時点においては、存在していないことが示されている。写っている画像が存在しないのに、人物Ｄさんが登録されている理由は次のようなものである。例えば、人物Ｄさんは、予め情報管理装置１０Ａに対する操作により直接登録設定が行われた場合、若しくは、人物Ｄさんは、以前開催されたイベント時に既に登録されており、今回のイベントは、当該以前のイベントと同一のグループで開催されている場合等である。
【０３０４】
このように、各画像に写っている人物別に集計して分類し、さらに画像評価値を明示することにより、人物毎の画像数や画像内容を一覧することができるので、写っている画像が少ない人物や、良好画像が少ない人物等を、特定の条件（画像数，良好評価数）を満たしていないものと判定することができる。
【０３０５】
図２４は、撮影状況（シーン）別に分類した集計結果と画像評価値を合わせて示す集計表の例示である。ここで、撮影状況（シーン）としては、ポートレート，風景，建物，夜景，接写，動画を例示しているが、これのみに限定されるモノではなく、これら以外にも各種のシーン種別は存在する。
【０３０６】
このように、取得された複数の画像をシーン別に集計し分類することで、シーンの偏りを一覧することができる。したがって、少ないシーンを特定の条件を満たしていないものと判定することができる。
【０３０７】
図２５は、動画データを分類及び分析した場合の例示である。つまり、動画データ毎に写っている人物と、各人物毎に写っている秒時を集計し分類した集計結果を示す集計表の例示である。具体的には、例えば、動画番号１は全体で１７秒の動画であり、そのうち人物「姉」が１０秒、人物「妹」が５秒、「姉」と「妹」が同時に２秒写っているという集計結果が示されている。
【０３０８】
この図２５の動画データの集計結果については、さらに詳細な分析結果を示すことができる。図２６は、図２５の動画データの集計結果についてのさらに詳細な分析結果を示す集計表の例示である。
【０３０９】
図２６の分析結果を表示させるには、例えば、図２５の集計表が表示されているときに、当該集計表のうちの動画番号（Ｎｏ．）の欄の複数の数字のうちから所望する数字をタッチ操作する等により実現できる。
【０３１０】
図２６に示す例では、一本の動画データ中において、特定の人物（「姉」と「妹」）が写っている時間軸状の位置と秒時を視覚的に判りやすく表示している。具体的に言うと、図２６において、動画番号１の「開始時点（０秒時点）」から１０秒間は人物「姉」が単独で写っている。これに続く５秒間は人物「妹」が単独で写っている。さらに、これに続く２秒間は人物「姉」と人物「妹」の二人が同時に写っていることが示されている。この場合において、撮影対象が当初人物「姉」であったものが、「１０秒時点」で人物「姉」から人物「妹」に切り換わり、さらに、「１５秒時点」で人物「姉」が画像内に入ってくるという状況が示されている。
【０３１１】
図１７に戻って、ステップＳ３５において、制御部１１は、今回のイベントにおいて複数の画像データ等の情報を取得するのに際して、現時点までに取得された画像データ等の情報は特定の条件を満たしているか否かの確認を行う。ここで、特定の条件（例えば、参加者全員がまんべんなく写っているかどうか、若しくは良好な画像が公平に取得されているかどうか等）をクリアしていると判定された場合には、ステップＳ３１の処理に戻る。また、特定の条件をクリアしていないと判定された場合には、ステップＳ３６の処理に進む。
【０３１２】
特定の条件は、複数の情報取得機器２０Ａ等が、撮影した画像が、撮影のたびに受信されて、今まで画像が受信されなかったのに、急に単位時間当たりの撮影数が所定の枚数以上になった場合などは、多くの人が、このタイミングでしか撮影が出来ないと考えて画像を撮像したとして、撮ってない人に、その旨を通知すれば、気づかなかった人も撮影に参加でき、皆で楽しめる画像が多く集まることになる。
【０３１３】
つまり、特定のタイミングとは、ユーザがあらかじめ決めた条件（ここでは、みんなが一斉に撮影しているなど）を満たすタイミングである。この時間と撮影枚数の関係を統計的に処理して、撮影チャンスの終了を予測してもよい。
【０３１４】
ステップＳ３６において、制御部１１は、特定の条件をクリアしていない旨を表す情報（警告情報）や、特定の条件を満たすための情報（ガイド情報）を作成し、作成した各情報を、対応する特定の情報取得機器２０Ａへと送信する。その後、ステップＳ３１の処理に戻る。
【０３１５】
ここで、情報管理装置１０Ａから警告情報やガイド情報を送信する特定の機器としては、例えば、特定の条件を満たすためにクリアしていない（例えば写っている画像が少ない若しくは無い人物が所持する情報取得機器２０Ａ等が相当する。これを受けた情報取得機器２０Ａの所持者は、自分の画像が少ないか若しくは無いことを知ることができる。したがって、自分の所持する情報取得機器２０Ａや、近くにいる同イベント参加者が所持する情報取得機器２０Ａによって、自分の画像を撮ってもらうなどのことができる。そうして取得した画像データ等の情報を情報管理装置１０Ａに送信すれば、特定の条件を満たすことができるようになる。
【０３１６】
以上説明したように上記第２の実施形態によれば、複数の情報取得機器２０Ａは、複数の画像データ等の情報を取得し、取得した画像データ等の情報を一台の情報管理装置１０Ａへと送信する。これを受けて、当該情報管理装置１０Ａは、受信した複数の画像データ等の情報に基づいて、各種の分析処理等を行う。そして、特定の条件を満たさない場合には、警告情報やガイド情報を作成し、これらの情報を特定の情報取得機器２０Ａへと送信するように構成している。そして、これらの送受信は、撮影現場において、ほぼリアルタイムで行われる。
【０３１７】
したがって、これにより、例えばグループ旅行等の行事（イベント）の実行中に、その現場において、撮影漏れ（人物の撮り忘れ等）や撮影ミス（人物の眼つぶり等）のチェックを行うことができる。これと同時に、その旨の情報を、その場で取得することができるので、特定の条件をクリアするように、例えば撮影漏れや撮影ミスなどを抑止して、常に確実な撮影結果を残すことが容易にできる。
【０３１８】
［変形例］
上述の第２の実施形態においては、複数の情報取得機器２０Ａによって取得された画像データ等の情報を、一台の情報管理装置１０Ａに送信し、これを受けた一台の情報管理装置１０Ａが、取得された複数の画像データ等の情報に基づいて、各種の集計や分析を行うようにした例を示している。
【０３１９】
このような構成とする場合、情報管理装置１０Ａは、複数の画像データ等の情報を保持するためのストレージ装置（データベース）を内部に具備している必要がある。近年、画像データ等の情報は、撮像素子の多画素化等に起因して大容量化している。したがって、複数の画像データ等の情報の全てを保持するストレージ装置（データベース）に必要な記憶容量も大容量のものが要求されるようになっている。
【０３２０】
さらに、複数の画像データ等の情報に基づいて各種の分析処理等を行うのに際しては、個々のファイル容量が大きくなるほど、より高性能な演算回路等が要求される。したがって、複数の画像データ等の情報に基づく各種の分析処理等を、据え置き型のコンピュータ等の演算回路を利用できれば至便である。
【０３２１】
そこで、上述の各実施形態において、情報管理装置１０Ａが行う作用のうち、複数の情報取得機器が取得した複数の画像データ等の情報を受信して蓄積するデータベース機能と、これら複数の画像データ等の情報に基いて分析用データ等を作成する演算機能とを、情報管理装置１０Ａとは別体に設けられる外部機器によって行うようにし、当該外部機器と情報管理装置１０Ａとを連携させた情報管理システムを構築することもできる。なお、この場合、外部機器は、さらに情報管理装置と複数の情報取得機器とのそれぞれの間で通信を行う通信機能をも有する。
【０３２２】
つまり、情報管理装置１０Ａは、外部機器にて作成された分析用データを受信して、これを用いることにより各種の分析処理を実行する。外部機器で作成される分析用データは、画像データ全体に比べてデータ容量がはるかに小さくて済むので、情報管理装置１０Ａにおける非力な演算機能によっても、高速な分析処理を行うことができることになる。
【０３２３】
このような構成とする場合の作用の一例を、図２１のフローチャートに示す。図２１は、本発明の第２の実施形態の変形例の情報管理システムの作用を示すフローチャートである。
【０３２４】
本変形例の基本的な構成は、上述の各実施形態と略同様である。本変形例においては、複数の情報取得機器によって取得された複数の画像データ等の情報を、外部機器のデータベース装置（ストレージ装置）へと送信し、このデータベースの所定の記録領域に記録蓄積するように構成した点が異なる。
【０３２５】
また、本変形例においては、外部機器側に設けられる演算回路を含む制御部（以下、外部機器側制御部という）において、上記データベース装置に蓄積された複数の画像データ等の情報に基づいて、各種の分析処理等をおこなうようにしている点においても異なる。
【０３２６】
まず、外部機器が電源オン状態で起動しており、かつ当該外部機器は、常に複数の情報取得機器からの画像データ等の情報の受信待機状態にあるものとする。
【０３２７】
この状態にあるとき、図２１のステップＳ７１において、外部機器側制御部は、複数の情報取得機器からの画像受信要求があるか否かの確認を行う。ここで、画像受信要求が確認されると、次のステップＳ７２の画像受信処理を実行する。また、画像受信要求が確認されない場合は当該ステップＳ７１の処理を繰り返す。
【０３２８】
ステップＳ７２の画像受信処理により、一つの画像データ等の情報の受信が完了すると、次のステップＳ７３の処理に進む。
【０３２９】
ステップＳ７３において、外部機器側制御部は、画像受信要求がまだあるか否かの確認を行う。ここで、画像受信要求が確認されると、ステップＳ７２の処理に戻り、画像受信要求が確認されなくなるまで以降の処理を繰り返す。そうして、画像受信要求が確認されなくなると、ステップＳ７４の処理に進む。
【０３３０】
ステップＳ７４において、外部機器側制御部は、複数の画像データ等の情報に基づいて、対象登録被写体の検索処理を実行する。この対象登録被写体とは、各種の分析処理の対象とする被写体（人物）であって、既に登録済みの被写体（人物）を、複数の画像データ等の情報から検索する処理である。
【０３３１】
次に、ステップＳ７５において、外部機器側制御部は、対象登録被写体を含む画像を選択する処理を実行する。
【０３３２】
続いて、ステップＳ７６において、外部機器側制御部は、対象登録被写体の検索対象とする画像がまだあるか否かの確認を行う。ここで、検索対象画像がまだある場合は、ステップＳ７５の処理に戻る。そして、全ての検索対象画像の検索を終えると、次のステップＳ７７の処理に進む。
【０３３３】
次に、ステップＳ７７において、外部機器側制御部は、切り出し条件取得処理を行う。ここで、切り出し条件とは、上述のステップＳ７５の処理にて選択された画像（対象登録被写体を含む画像）から、所定の画像領域を切り出す画像処理を行うための設定条件である。当該切り出し条件としては、例えば一画像中に写っている人物の顔領域部分を切り出すための「人物顔」条件や、当該「人物顔」のうちでも主要となる主要顔（例えば２つのみ）を切り出すための「主要顔２つ」条件等のほか、顔領域が適正露出の場合の「適正顔」条件、笑顔のみを切り出す「笑顔条件」等さまざまな設定条件がある。この切り出し条件は、情報管理装置１０Ａの画像分析アプリ等から予め設定しておく。したがって、これらの切り出し条件は、情報管理装置１０Ａの記録部等に予め記録されている。外部機器は、情報管理装置１０Ａにアクセスして、この切り出し条件を取得する。
【０３３４】
次に、ステップＳ７８において、外部機器側制御部は、取得した切り出し条件に合致する画像データ等の情報を選択する処理を実行する。
【０３３５】
続いて、ステップＳ８０において、外部機器側制御部は、画像切り出し処理を実行する。
【０３３６】
次に、ステップＳ８１において、外部機器側制御部は、切り出し画像を記録する記録処理を実行する。
【０３３７】
ステップＳ８２において、外部機器側制御部は、切り出し画像を送信するための切り出し画像送信条件を取得する。ここで、切り出し画像送信条件は、情報管理装置側で行われる分析処理に応じた切り出し画像を送信するための設定条件である。
【０３３８】
次に、ステップＳ８３において、外部機器側制御部は、切り出し画像送信条件に応じた切り出し画像の送信処理を実行する。
【０３３９】
そして、ステップＳ８４において、外部機器側制御部は、送信処理の完了の確認を行って、送信完了を確認したら、一連の処理を終了し、元の処理に戻る。また、送信が完了していない場合には、ステップ８３の処理に戻り、送信処理の完了するまで、当該送信処理を繰り返す。
【０３４０】
以上説明したように、上記第２の実施形態の変形例によれば、情報管理装置とは別体で、データベース機能と分析用データ作成のための演算機能とを有する外部機器（データベース装置）を設けることで、情報管理装置の負荷を軽減することができる。
【０３４１】
なお、上述の変形例とは別に、次のような別の変形例も考えられる。即ち、図２１に示す処理シーケンスのうちステップＳ７４〜ステップＳ８４の処理を、情報取得機器２０Ａの制御部２１（画像分析部２１ｂ，編集部２１ｅ等）において実行するようにしてもよい。
【０３４２】
このような構成とすれば、情報取得機器２０Ａによって取得された複数の画像データは、当該情報取得機器２０Ａの記録部２６に既に記録されているものであるから、大きなファイルサイズのデータ通信を行う必要がなく、分析に必要な分析用データのみを情報管理装置１０Ａへ送信すればよいので、通信負荷を軽減することができる。
【０３４３】
また、分析用データを作成するための演算処理は、例えば既存の顔認識技術を用いた顔領域の切り出し処理等、比較的軽い処理で済む。したがって、これらの軽い演算処理であれば、情報取得機器２０Ａとしてデジタルカメラやスマートホン等のような小型の電子機器を適用している場合であっても、問題なく実行することが容易にできる。
【０３４４】
さらに、分析用データを受けて各種の分析処理を実行する情報管理装置１０Ａも、通信負荷及び演算処理の負荷を軽減できる。また、取り扱うデータ容量が軽量化しているので、処理の高速化も期待できる。
【０３４５】
また、以上の実施例では、特定の状況下で画像またはその一部を送信してチェックを行っているように説明したが、画像そのもの、あるいはその一部ではなく、画
像から得られた判定結果だけを送信してもよい。ただし、判定結果だけでは、証拠性に乏しいので、画像はそれぞれの機器、または、特定の機器に集中させて記録するようにしてもよい。この時には、証拠画像の送受信のタイミングは適宜行ってもよく、一括で行ってもよい。
【０３４６】
なお、プログラムで構成した部分を適宜、回路に置き換えることも可能である。上述の一実施形態の説明中において、「部」（セクションやユニット）として記載した部分は、専用の回路や、複数の汎用の回路を組み合わせて構成してもよく、必要に応じて、予めプログラムされたソフトウェアに従って動作を行うマイコン、ＣＰＵなどのプロセッサ、あるいはＦＰＧＡなどシーケンサを組み合わせて構成されてもよい。また、その制御の一部または全部を外部の装置が引き受けるような設計も可能で、この場合、有線や無線の通信回路が介在する。通信は、ブルートゥース（登録商標）やＷｉＦｉ、電話回線などで行えばよく、ＵＳＢなどで行っても良い。専用の回路、汎用の回路や制御部を一体としてＡＳＩＣとして構成してもよい。機械的に位置制御される部位（例えば移動部など）は、様々なアクチュエータと、必要に応じて移動用の連結メカニズムによって構成されており、ドライバ回路によってアクチュエータが作動する。このドライブ回路もまた、特定のプログラムに従ってマイコンやＡＳＩＣなどが制御する。こうした制御は各種センサやその周辺回路が出力する情報によって、詳細な補正、調整などが行われても良い。
【０３４７】
また、上述の各実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。即ち、特許請求の範囲，明細書及び図面中の動作フローに関して、便宜上「まず、」、「次に、」等を用いて説明したとしても、この順で実施することが必須であることを意味するものではない。また、これらの動作フローを構成する各ステップにおいては、発明の本質に影響しない部分について適宜省略することもできることは言うまでもない。
【０３４８】
また、ここで説明した技術のうち、主にフローチャートで説明した制御や機能は、多くがソフトウエアプログラムにより設定できることが多くあり、そのソフトウエアプログラムをコンピュータが読み取り実行することで上述した制御や機能を実現することができる。そのソフトウエアプログラムは、コンピュータプログラム製品として、予め製品製造過程において上記記憶媒体や記憶部等、具体的には例えばフレキシブルディスク ＣＤ−ＲＯＭ等 不揮発性メモリ等の可搬媒体やハードディスク 揮発性メモリ等の記憶媒体に、その全体あるいは一部を記憶又は記録されている電子データである。また、これとは別に、製品出荷時又は可搬媒体或いは通信回線を介して流通又は提供ができるものである。利用者は、製品出荷後であっても、自ら通信ネットワークやインターネット等を介して、それらのソフトウエアプログラムをダウンロードしてコンピュータにインストールしたり、あるいは記憶媒体からコンピュータにインストールすることで、動作させるようにすることができ、これによって容易に本実施形態の情報管理装置，情報取得機器，情報管理システムを実現することができる。
【０３４９】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【０３５０】
［付記］
１．  複数の情報取得機器が取得した複数の情報を取得する情報取得部と、上記情報取得部が取得した上記複数の情報が特定の条件を満たしているか否かを判定する判定部と、上記判定部の判定結果に従って上記特定の条件を満たす情報をさらに取得するためのガイド情報を作成するガイド情報作成部とを具備する情報管理装置と、
情報を取得する情報取得部と、上記情報取得部により取得された上記情報を送信する通信部とを具備する複数の情報取得機器と、
を備えた情報管理システム。
２．  上記判定部は、上記複数の情報取得機器により取得された複数の情報に基づいて情報分析処理を行うことで上記判定結果を出力する付記１に記載の情報管理システム。
３．  上記複数の情報取得機器により取得された複数の情報を蓄積するデータベースと、上記データベースに蓄積された複数の情報に基づいて情報分析処理を行う演算部と、上記複数の情報取得機器と上記情報管理装置とのそれぞれの間で通信を行う通信部とを具備する外部機器を、
さらに有する付記１に記載の情報管理システム。
４．  情報取得機器は、
複数の画像データ情報を取得し、
取得した上記複数の画像データを送信し、
情報管理装置は、
複数の画像データを受信し、
受信した上記複数の画像データが特定の条件を満たしているか否かを判定し、
上記判定結果に従って上記特定の条件を満たす情報をさらに取得するためのガイド情報を作成し、
上記ガイド情報を送信する情報管理方法。
【符号の説明】
【０３５１】
１，１Ａ……情報管理システム
１０，１０Ａ……情報管理装置
１１……制御部
１１ａ……作業判定部
１１ｂ……表示制御部
１１ｃ……ガイド部
１１ｄ……対象物判定部
１１ｅ……大きさ判定部
１１ｆ……画像判定部，画像分析部
１１ｇ……通信制御部
１１ｈ……データ集計部
１２……通信部
１３……表示部
１４……エビデンス記録部
１４……記録部
１４ａ……アプリ領域
１４ｂ……画像領域
１５……時計部 
１６……操作部
１６ａ……タッチパネル
２０……ウェアラブル端末装置
２０Ａ……情報取得機器
２１……制御部
２１ａ……通信制御部
２１ｂ……画像判定部，画像分析部
２１ｃ……表示制御部
２１ｄ……画像処理部
２１ｅ……編集部
２２……通信部
２３……操作部
２３ａ……タッチパネル
２４……撮像部
２４ａ……撮像光学系
２４ｂ……撮像素子
２４ｄ……合焦駆動部
２４ｅ……絞り部
２４ｆ……変倍駆動部
２５……表示部
２５ａ……導光部
２５ｂ……表示パネル
２６……記録部
２７ａ……音声入力部，マイクロホン
２７ｂ……音声出力部，スピーカ
２８……時計部 
２９……支持部
３０……補助カメラ
３１……制御部
３１ｂ……画像判定部
３２……通信部
３３……時計部
３４……撮像部
３５……記録部
３６……表示部
４０……データベース
４１ａ……作業情報データベース
４１ｂ……画像データベース
【図１】
2020009020.tif 000003
【図２】
2020009020.tif 000004
【図３】
2020009020.tif 000005
【図４】
2020009020.tif 000006
【図５】
2020009020.tif 000007
【図６】
2020009020.tif 000008
【図７】
2020009020.tif 000009
【図８】
2020009020.tif 000010
【図９】
2020009020.tif 000011
【図１０】
2020009020.tif 000012
【図１１】
2020009020.tif 000013
【図１２】
2020009020.tif 000014
【図１３】
2020009020.tif 000015
【図１４】
2020009020.tif 000016
【図１５】
2020009020.tif 000017
【図１６】
2020009020.tif 000018
【図１７】
2020009020.tif 000019
【図１８】
2020009020.tif 000020
【図１９】
2020009020.tif 000021
【図２０】
2020009020.tif 000022
【図２１】
2020009020.tif 000023
【図２２】
2020009020.tif 000024
【図２３】
2020009020.tif 000025
【図２４】
2020009020.tif 000026
【図２５】
2020009020.tif 000027
【図２６】
2020009020.tif 000028